(57)【要約】      （修正有）【課題】サーモスタットによって制御されるＨＶＡＣシステム上でユーザと対話式にかつグラフィックスによりインターフェースするための装置およびシステムを提供する。【解決手段】ユーザインターフェースは、スマートフォンまたはタブレットＰＣなどの遠隔無線接続デバイスのタッチスクリーンディスプレイ上で実現される。インターフェースは、サーモスタット上で使用される入力方法に類似の１つ以上の入力方法を可能にすることを含む、サーモスタットのディスプレイを模倣する画面を表示する。タッチおよびドラッグ、長押しおよびタッピングなどのタッチスクリーンジェスチャが直観的に用いられる。急な意図に反する変更のリスクを低減しつつ大規模な変更を可能にすることによって、ユーザエクスペリエンスが向上される。ＨＶＡＣ機器を不当な過剰制御から保護し、不要なネットワークトラフィックを低減し、エネルギーの浪費を防止するように、制御信号が適切に合わされる。【選択図】図４
0003204588.tif 000002
【実用新案登録請求の範囲】
【請求項１】
サーモスタットによって制御されるＨＶＡＣシステムのユーザと対話式にかつグラフィックスによりインターフェイスする方法であって、前記サーモスタットは、ハウジングと、リング型ユーザインターフェイスコンポーネントと、処理システムと、電子ディスプレイとを備え、前記方法は、
前記サーモスタットと別個のかつ離れた位置におけるタッチスクリーンディスプレイ上に、円形領域および前記円形領域上に配置された１つ以上の制御記号をグラフィックスにより表示するステップを備え、前記１つ以上の制御記号は、前記サーモスタット上の前記リング型ユーザインターフェイスコンポーネントのユーザ操作をグラフィックスにより表わし、前記方法はさらに、
前記サーモスタット上の前記リング型ユーザインターフェイスコンポーネントのユーザ操作を表わすユーザによるタッチおよびドラッグジェスチャに応じて前記タッチスクリーンディスプレイ上のユーザ入力動作を検出するステップと、
検出された前記ユーザ入力動作に基づいて設定点温度値を動的に特定するステップと、
前記タッチスクリーンディスプレイ上に、前記タッチスクリーンディスプレイの前記円形領域上の特定された前記設定点温度値を表わす情報をリアルタイムで動的に表示するステップと、
特定された前記設定点温度値が前記ユーザによって要求される設定点温度に対応する可能性が比較的高くなるようにある時間の量の間待機するステップと、
前記待機後、特定された前記設定点温度値を表わすデータを無線送信するステップとを備える、方法。
【請求項２】
測定された周囲空気温度と特定された前記設定点温度値を表わす無線送信された前記データとの比較に少なくとも一部基づいて前記ＨＶＡＣシステムを制御するステップをさらに含む、請求項１に記載の方法。
【請求項３】
前記ユーザが要求設定点温度に達した可能性が比較的高くなるユーザ入力完了時間を判定するステップをさらに含み、前記待機する前記ある時間の量は、少なくとも判定された前記ユーザ入力完了時間である、請求項１に記載の方法。
【請求項４】
前記タッチスクリーンディスプレイ上にグラフィックスにより表示するステップは、前記サーモスタット上に前記電子ディスプレイの類似物を表示することを含み、前記１つ以上の制御記号は、前記電子ディスプレイ上に表示された１つ以上の制御記号を模倣する、請求項１に記載の方法。
【請求項５】
前記サーモスタットの前記電子ディスプレイ上に、前記リング型制御部材の回転に応じて前記電子ディスプレイの外周近傍のアーチ型経路に沿って移動する温度マーカ記号が表示され、前記１つ以上の制御記号は、前記サーモスタット電子ディスプレイ上の前記マーカ記号を表わす温度マーカ制御記号を含む、請求項４に記載の方法。
【請求項６】
前記ユーザによる前記タッチおよびドラッグジェスチャは、前記温度マーカ制御記号をタッチして新たな位置にドラッグすることを含む、請求項５に記載の方法。
【請求項７】
前記データを前記サーモスタットに無線送信する前の前記待機する前記ある時間の量は、所定量の時間である、請求項１に記載の方法。
【請求項８】
前記所定量の時間は、約１〜２秒である、請求項７に記載の方法。
【請求項９】
前記円形領域の中央エリアに数値を同時にかつ動的に表示するステップをさらに含み、前記数値は、現在動的に特定される設定点温度値に関連付られる設定点値を示す、請求項１に記載の方法。
【請求項１０】
前記タッチおよびドラッグジェスチャは、２本以上の指でタッチし、前記２本以上の指で物理的制御ダイヤルの回転動作を模倣する回転動作しながらドラッグすることを含む、請求項１に記載の方法。
【請求項１１】
前記タッチスクリーンディスプレイの表示される前記円形領域上の位置において前記ユーザによって行なわれる長押しジェスチャを検出するステップをさらに含み、前記設定点温度値を動的に特定するステップは、検出された前記長押しジェスチャに部分的に基づく、請求項５に記載の方法。
【請求項１２】
前記グラフィックスにより表示するステップは、前記温度マーカ制御記号が表示される前記円形領域上にアーチ型経路を表示することを含み、前記長押しジェスチャの位置は、表示された前記アーチ型経路上にあり、前記方法はさらに、前記温度マーカ制御記号を、前記円形領域上の前記アーチ型経路に沿って前記長押しジェスチャの前記位置に向かって、徐々に移動させるステップをさらに含む、請求項１１に記載の方法。
【請求項１３】
前記徐々に移動させるステップは、前記アーチ型経路に沿った動作の速度が経時的に加速するように非線形に行なわれる、請求項１２に記載の方法。
【請求項１４】
前記ユーザによって行なわれるタッピングジェスチャを前記タッチスクリーンディスプレイ上の第２の位置において検出するステップをさらに含み、前記設定点温度値を動的に特定するステップは、検出された前記タッピングジェスチャに部分的に基づく、請求項１に記載の方法。
【請求項１５】
前記無線送信するステップは、前記データをクラウドベースのサーバシステムに無線送信することを含む、請求項１に記載の方法。
【請求項１６】
サーモスタットによって制御されるＨＶＡＣシステムのユーザと対話式にかつグラフィックスによりインターフェイスする方法であって、前記サーモスタットは、ハウジングと、リング型ユーザインターフェイスコンポーネントと、処理システムと、円形電子ディスプレイとを備え、前記円形電子ディスプレイは、前記リング型制御部材の回転に応じて前記電子ディスプレイの外周近傍のアーチ型経路に沿って移動する、前記円形電子ディスプレイ上に表示された温度マーカ記号を含み、前記方法は、
前記サーモスタットと別個のかつ離れた位置におけるタッチスクリーンディスプレイデバイス上に、円形領域、および前記円形領域の外周近傍のアーチ型経路、ならびに現在の設定点温度値に関連付られる位置において前記円形領域の前記アーチ型経路に沿って位置付けられた温度制御マーカ記号をグラフィックスにより表示するステップと、
前記円形領域上に表示された前記アーチ型経路上の位置におけるユーザによる長押しジェスチャに応じて、前記タッチスクリーンディスプレイ上のユーザ入力ジェスチャを検出するステップと、
前記温度制御マーカ記号を、前記円形領域上の前記アーチ型経路に沿って前記長押しジェスチャの位置に向かって、徐々に移動させるステップと、
検出された前記ユーザ入力ジェスチャに基づいて設定点温度値を動的に特定するステップと、
特定された前記設定点温度値を表わすデータを無線送信するステップとを備える、方法。
【請求項１７】
前記徐々に移動させるステップは、前記アーチ型経路に沿った動作の速度が経時的に加速するように非線形に行なわれる、請求項１６に記載の方法。
【請求項１８】
特定された前記設定点温度値が前記ユーザによって要求される設定点温度に対応する可能性が比較的高くなるようにある時間の量の間待機するステップをさらに含み、前記無線送信するステップは、前記待機後に行なわれる、請求項１６の記載の方法。
【請求項１９】
前記ユーザが、表示された前記温度制御マーカ記号に対応する位置をタッチし、表示された前記アーチ型経路に沿った方向にドラッグする前記ユーザによるタッチおよびドラッグジェスチャに応じて、前記タッチスクリーンディスプレイ上のユーザ入力動作ジェスチャを検出するステップと、
前記タッチスクリーンディスプレイ上で、検出された前記ユーザ入力動作ジェスチャに応じて前記温度制御マーカ記号を表示された前記アーチ型経路に沿ってリアルタイムで動的に移動させるステップとをさらに含む、請求項１６に記載の方法。
【請求項２０】
前記ユーザが前記円形領域上の位置をタップする前記ユーザによるタッピングジェスチャに応じて前記タッチスクリーンディスプレイ上のユーザ入力タッピングジェスチャを検出するステップと、
前記タッチスクリーンディスプレイ上で、検出された前記ユーザ入力タッピングジェスチャに応じて前記温度制御マーカ記号を表示された前記アーチ型経路に沿ってリアルタイムで動的に移動させるステップとをさらに含む、請求項１６に記載の方法。
【請求項２１】
前記ユーザタッピングの前記円形領域上の前記位置は、前記アーチ型経路によって少なくとも部分的に画定される中央領域内である、請求項２０に記載の方法。
【請求項２２】
前記ユーザタッピングの前記円形領域上の前記位置は、前記アーチ型経路上である、請求項２０に記載の方法。
【請求項２３】
前記グラフィックスにより表示するステップは、前記アーチ型経路に沿った前記温度制御マーカ記号の位置に現在関連付られる設定点温度を示す数値を動的に表示することを含む、請求項１６に記載の方法。
【請求項２４】
前記アーチ型経路に沿った前記温度制御マーカ記号の移動に対応する可聴音を前記ユーザに鳴らすステップをさらに含む、請求項１６に記載の方法。
【請求項２５】
ＨＶＡＣシステムのユーザと対話式にかつグラフィックスによりインターフェイスするためのシステムであって、前記システムは、
サーモスタットを備え、前記サーモスタットは、
ハウジングと、
リング型ユーザインターフェイスコンポーネントと、
測定された周囲空気温度と設定点温度値との比較に少なくとも部分的に基づいてＨＶＡＣシステムを制御するように構成された処理システムと、
前記処理システムの動作制御下の円形電子ディスプレイとを備え、前記システムはさらに、
前記サーモスタットと別個のかつ離れた位置から操作可能なタッチスクリーンディスプレイデバイスを備え、前記タッチスクリーンディスプレイデバイスは、タッチスクリーンディスプレイと、前記タッチスクリーンディスプレイに通信接続された処理システムとを含み、前記タッチスクリーンディスプレイデバイスの前記処理システムは、
円形領域および前記円形領域上に配置された１つ以上の制御記号をグラフィックスにより表示し、前記１つ以上の制御記号は、前記サーモスタット上の前記リング型ユーザインターフェイスコンポーネントのユーザ操作をグラフィックスにより表わし、
前記サーモスタット上の前記リング型ユーザインターフェイスコンポーネントのユーザ操作を表わすユーザによるタッチおよびドラッグジェスチャに応じて前記タッチスクリーンディスプレイ上のユーザ入力動作を検出し、
検出された前記ユーザ入力動作に基づいて設定点温度値を動的に特定し、
前記タッチスクリーンディスプレイ上に、前記ユーザによって要求される設定点温度に対応する特定された前記設定点温度値を表わす情報をリアルタイムで動的に表示し、
特定された前記設定点温度値が前記ユーザによって要求される設定点温度に対応する可能性が比較的高くなるようにある時間の量の間待機し、
前記待機後に、前記サーモスタットの前記設定点温度値を更新するように、特定された前記設定点温度値を表わすデータを無線送信するように、プログラムされ、構成されている、システム。
【請求項２６】
前記タッチスクリーンディスプレイデバイスは、スマートフォンである、請求項２５に記載のシステム。
【請求項２７】
前記タッチスクリーンディスプレイデバイスは、タブレットコンピュータである、請求項２５に記載のシステム。
【請求項２８】
クラウドベースのサーバシステムをさらに含み、前記クラウドベースのサーバシステムは、前記タッチスクリーンディスプレイデバイスから特定された前記設定点温度値を表わす無線送信された前記データを受信し、格納し、前記データを、前記ＨＶＡＣシステムを制御する際の使用のために前記サーモスタットに送信するように構成されている、請求項２５に記載のシステム。
【請求項２９】
前記サーモスタットの前記処理システムは、前記電子ディスプレイ上に、前記リング型制御部材の回転に応じて前記電子ディスプレイの外周近傍のアーチ型経路に沿って移動する温度マーカ記号を表示するように構成され、前記タッチスクリーンディスプレイの前記円形領域上に配置された前記１つ以上の制御記号は、前記サーモスタットの前記電子ディスプレイ上の前記温度マーカ記号を表わす温度マーカ制御記号を含み、前記ユーザによる前記タッチおよびドラッグジェスチャは、前記温度マーカ制御記号にタッチし、前記円形領域上のアーチ型経路上の新たな位置にドラッグすることを含む、請求項２５に記載のシステム。
【請求項３０】
前記タッチスクリーンデバイスの前記処理システムはさらに、
前記ユーザによって行なわれる長押しジェスチャを前記円形領域の表示された前記アーチ型経路上の位置において検出し、
前記温度マーカ制御記号を、前記円形領域上の前記アーチ型経路に沿って前記長押しジェスチャの前記位置に向かって、徐々に移動させるように構成されており、前記徐々の移動は、前記アーチ型経路に沿った動作の速度が経時的に加速するように非線形に行なわれる、請求項２９に記載のシステム。
【請求項３１】
前記タッチスクリーンデバイスの前記処理システムはさらに、前記ユーザによって行なわれるタッピングジェスチャを前記タッチスクリーンディスプレイ上の位置において検出するように構成され、動的に特定された前記設定点温度値は、検出された前記タッピングジェスチャに部分的に基づく、請求項２５に記載のシステム。
【請求項３２】
前記タッチスクリーンデバイスの前記処理システムはさらに、前記円形領域の中央エリアに数値を動的に表示するように構成され、前記数値は、現在の動的に特定された前記設定点温度値に関連付られる設定点値を示す、請求項２５に記載のシステム。
【考案の詳細な説明】
【技術分野】
【０００１】
関連出願との相互参照
このＰＣＴ出願は、あらゆる目的のためにその全体が引用により援用される、２０１３年４月２６日に出願された米国非仮特許出願第１３／８７１，８５２号の優先権の利益を主張する。
【０００２】
分野
この特許明細書は、エネルギー消費システムまたは他の資源消費システムの監視および制御のためのシステム、方法、および関連するコンピュータプログラムプロダクトに関する。より特定的には、この特許明細書は、スマートフォンまたは他のスペースが限られたタッチスクリーンデバイス上でのサーモスタットの温度設定点修正のためのユーザインターフェイスに関する。
【背景技術】
【０００３】
背景
ネットワークに接続されたプログラム可能なサーモスタットを遠隔制御するためのタッチスクリーンベースのユーザインターフェイスを設計する際には、高レベルのユーザフレンドリー性および直観性を提供することが望ましい。さらに、コンピュータネットワーク上でワイヤレス通信技術を使用するときには、ネットワークトラフィックに出来る限り影響を与えないことが望ましい。とりわけ、上述のユーザフレンドリー性、直観性、および低ネットワーク影響という目標は、多くのさまざまな遠隔制御シナリオで共有されており、実際に、たとえば、各々が本願明細書に引用により援用されるＵＳ８，２３９，７８４号、ＷＯ２０１２１１８６２６号、およびＵＳ２００８００８４４００号において反映されているように、これらの目標に向けて当該技術分野においていくらかの進歩がなされていることが認識されている。しかしながら、ＨＶＡＣシステムの遠隔制御は、同時に解決されなければならない課題の１つ以上の独自の組合せを生じることがわかっており、その間ずっとユーザフレンドリー性および直観性が提供され続けている。例として、ＨＶＡＣ機器を不当な過剰制御から保護し、不要なネットワークトラフィックを低減し、エネルギー浪費を防止するように、実際に生じる制御信号が適切に合わされたサーモスタット用遠隔制御ユーザインターフェイスを提供するとともに、ユーザが高度の制御、すなわち、直観的かつ楽しく使いやすい温度制御システムを「指揮している」という感覚を感じるユーザインターフェイスエクスペリエンスを提供することが望ましいことがわかっている。
【考案の概要】
【課題を解決するための手段】
【０００４】
概要
ＨＶＡＣ機器を制御するときには、特定のタイプの機器を保護するために特定の組合せの制御が最小限に抑えられるべきであることがわかっている。たとえば、短い間隔中に繰返されるオン／オフコマンドは、特定のタイプのＨＶＡＣ機器の過剰摩耗、損傷、および／または故障を引起し得る。いくつかの実施形態によれば、ディスプレイ周囲に円形の制御部材を有する丸いサーモスタットについて、即時の制御設定点温度を調整するためのユーザフレンドリーなグラフィカルユーザインターフェイス（ＧＵＩ）が記載される。
【０００５】
いくつかの実施形態によれば、急な意図に反する変更のリスクを低減しつつ大規模な変更を可能にすることによって、ユーザエクスペリエンスが向上する。特に、「不意の」変更を低減またはなくすことによって、ユーザのインターフェイスエクスペリエンスが大きく低下することがわかっている。不意のおよび／または急な大きな変更は、質の低いユーザ感覚を招くこともわかっている。
【０００６】
いくつかの実施形態によれば、ネットワークトラフィックへの影響が低減される。過剰に重いトラフィックは、データ破壊のリスクを増加し、さらに、各デバイスがアップデートのために起動されるため、バッテリとの関わりもある。さらに、繰り返される相反したコマンドによりＨＶＡＣシステムデバイスに影響を及ぼすリスクも低減される。たとえば、ファンなどの特定のコンポーネントは、通常、迅速にオン／オフされることに対して保護されていない。しかしながら、ファンがオン／オフ／オン／オフすることによる大きな誘導負荷サイクルが未だ存在するであろう。したがって、いくつかの実施形態によれば、過剰なユーザとの対話（たとえば、過剰な遊び（over-playfulness））のリスクが低減されている。
【０００７】
１つ以上の実施形態によれば、サーモスタットによって制御されるＨＶＡＣシステムのユーザと対話式にかつグラフィックスによりインターフェイスするための方法が記載される。サーモスタットは、ハウジングと、リング型ユーザインターフェイスコンポーネントと、処理システムと、電子ディスプレイとを含む。方法は、サーモスタットと別個のかつ離れた位置におけるタッチスクリーンディスプレイ上に、円形領域および円形領域上に配置された１つ以上の制御記号をグラフィックスにより表示するステップを含み、１つ以上の制御記号は、サーモスタット上のリング型ユーザインターフェイスコンポーネントのユーザ操作をグラフィックスにより表わし、方法はさらに、サーモスタット上のリング型ユーザインターフェイスコンポーネントのユーザ操作を表わすユーザによるタッチおよびドラッグジェスチャに応じてタッチスクリーンディスプレイ上のユーザ入力動作を検出するステップと、検出されたユーザ入力動作に基づいて設定点温度値を動的に特定するステップと、タッチスクリーンディスプレイ上に、タッチスクリーンディスプレイの円形領域上の特定された設定点温度値を表わす情報をリアルタイムで動的に表示するステップと、特定された設定点温度値がユーザによって要求される設定点温度に対応する可能性が比較的高くなるようにある時間の量の間待機するステップと、特定された設定点温度値を表わすデータを無線送信するステップとを含む。
【０００８】
いくつかの他の実施形態によれば、サーモスタットによって制御されるＨＶＡＣシステムのユーザと対話式にかつグラフィックスによりインターフェイスするための別の方法が記載される。サーモスタットは、ハウジングと、リング型ユーザインターフェイスコンポーネントと、処理システムと、円形電子ディスプレイとを含む。サーモスタットのディスプレイ上では、温度マーカ記号がリング型制御部材の回転に応じて電子ディスプレイの外周近傍のアーチ型経路に沿って移動する。方法は、サーモスタットと別個のかつ離れた位置におけるタッチスクリーンディスプレイデバイス上に、円形領域および、円形領域の外周近傍のアーチ型経路、ならびに現在の設定点温度値に関連付けられる位置において円形領域のアーチ型経路に沿って位置付けられた温度制御マーカ記号をグラフィックスにより表示するステップと、円形領域上に表示されたアーチ型経路上の位置においてユーザによる長押しジェスチャに応じてタッチスクリーンディスプレイ上のユーザ入力ジェスチャを検出するステップと、温度制御マーカ記号を円形領域上のアーチ型経路に沿って長押しジェスチャの位置に向かって徐々に移動させるステップと、検出されたユーザ入力ジェスチャに基づいて設定点温度値を動的に特定するステップと、特定された設定点温度値を表わすデータを無線送信するステップとを含む。
【０００９】
いくつかの実施形態によれば、ＨＶＡＣシステムのユーザと対話式にかつグラフィックスによりインターフェイスするためのシステムが記載される。記載されるシステムは、サーモスタットを含み、サーモスタットは、ハウジングと、リング型ユーザインターフェイスコンポーネントと、測定された周囲空気温度と設定点温度値との比較に少なくとも一部基づいてＨＶＡＣシステムを制御するように構成された処理システムと、処理システムの動作制御下の円形電子ディスプレイとを含む。記載されるシステムはさらに、サーモスタットと別個のかつ離れた位置から操作可能なタッチスクリーンディスプレイデバイスを含み、タッチスクリーンディスプレイデバイスは、タッチスクリーンディスプレイと、タッチスクリーンディスプレイに通信接続された処理システムとを含む。タッチスクリーンディスプレイデバイスの処理システムは、円形領域および円形領域上に配置された１つ以上の制御記号をグラフィックスにより表示し、１つ以上の制御記号は、サーモスタット上のリング型ユーザインターフェイスコンポーネントのユーザ操作をグラフィックスにより表わし、サーモスタット上のリング型ユーザインターフェイスコンポーネントのユーザ操作を表わすユーザによるタッチおよびドラッグジェスチャに応じてタッチスクリーンディスプレイ上のユーザ入力動作を検出し、検出されたユーザ入力動作に基づいて設定点温度値を動的に特定し、タッチスクリーンディスプレイ上に、ユーザによって要求される設定点温度に対応する特定された設定点温度値を表わす情報をリアルタイムで動的に表示し、特定された設定点温度値がユーザによって要求される設定点温度に対応する可能性が比較的高くなるようにある時間の量の間待機し、サーモスタットの設定点温度値を更新するように、特定された設定点温度値を表わすデータを無線送信するように、プログラムされ、構成されている。
【００１０】
これらのシステムおよび方法は新規であり、その適用、ならびにそれらにおいて使用され、含まれるコンポーネント、システム、方法およびアルゴリズムの多くも同様に新規であることが理解されるであろう。本明細書に記載される考案（inventive body of work）の実施形態は、プロセス、装置、システム、デバイス、方法、コンピュータ読取可能媒体、計算アルゴリズム、組込もしくは配布ソフトウェアとして、および／またはこれらの組合せとして含む、数多くの形で実現可能であることが理解されるべきである。いくつかの例示的実施形態を以下に説明する。
【００１１】
本考案は、添付の図面とともに以下の詳細な説明を参照されると容易に理解されるであろう。
【図面の簡単な説明】
【００１２】
【図１】本明細書においてさらに説明されるデバイス、方法、システム、サービス、および／またはコンピュータプログラムプロダクトの１つ以上が適用可能であるスマートホーム環境の一例を示す図である。
【図２】いくつかの実施形態に係る、図１のスマートホームが統合され得る拡張可能デバイスおよびサービスプラットフォームのネットワークレベルの図である。
【図３】いくつかの実施形態に係る、図２の拡張可能デバイスおよびサービスプラットフォームの抽象化された機能図である。
【図４】いくつかの実施形態に係るＨＶＡＣシステムの概略図である。
【図５Ａ】いくつかの実施形態に係る、視覚的に心地よく、滑らかで、流麗で、円形の外観を有するとともに、占有状態および／またはユーザを検出するための１つ以上のセンサを含むサーモスタットを示す図である。
【図５Ｂ】いくつかの実施形態に係る、視覚的に心地よく、滑らかで、流麗で、円形の外観を有するとともに、占有状態および／またはユーザを検出するための１つ以上のセンサを含むサーモスタットを示す図である。
【図５Ｃ】いくつかの実施形態に係る、視覚的に心地よく、滑らかで、流麗で、円形の外観を有するとともに、占有状態および／またはユーザを検出するための１つ以上のセンサを含むサーモスタットを示す図である。
【図５Ｄ】いくつかの実施形態に係る、視覚的に心地よく、滑らかで、流麗で、円形の外観を有するとともに、占有状態および／またはユーザを検出するための１つ以上のセンサを含むサーモスタットを示す図である。
【図６Ａ】いくつかの実施形態に係る、ネットワーク接続された、プログラム可能なサーモスタットを遠隔制御するためのタッチスクリーンデバイス上のグラフィカルユーザインターフェイスの局面を示す図である。
【図６Ｂ】いくつかの実施形態に係る、ネットワーク接続された、プログラム可能なサーモスタットを遠隔制御するためのタッチスクリーンデバイス上のグラフィカルユーザインターフェイスの局面を示す図である。
【図６Ｃ】いくつかの実施形態に係る、ネットワーク接続された、プログラム可能なサーモスタットを遠隔制御するためのタッチスクリーンデバイス上のグラフィカルユーザインターフェイスの局面を示す図である。
【図６Ｄ】いくつかの実施形態に係る、ネットワーク接続された、プログラム可能なサーモスタットを遠隔制御するためのタッチスクリーンデバイス上のグラフィカルユーザインターフェイスの局面を示す図である。
【図７Ａ】いくつかの実施形態に係る、ネットワーク接続された、プログラム可能なサーモスタットを遠隔制御するためのタッチスクリーンデバイス上のグラフィカルユーザインターフェイスの局面を示す図である。
【図７Ｂ】いくつかの実施形態に係る、ネットワーク接続された、プログラム可能なサーモスタットを遠隔制御するためのタッチスクリーンデバイス上のグラフィカルユーザインターフェイスの局面を示す図である。
【図７Ｃ】いくつかの実施形態に係る、ネットワーク接続された、プログラム可能なサーモスタットを遠隔制御するためのタッチスクリーンデバイス上のグラフィカルユーザインターフェイスの局面を示す図である。
【図７Ｄ】いくつかの実施形態に係る、ネットワーク接続された、プログラム可能なサーモスタットを遠隔制御するためのタッチスクリーンデバイス上のグラフィカルユーザインターフェイスの局面を示す図である。
【図８】いくつかの実施形態に係る、遠隔で行なわれた新たなユーザ設定にデバイスを更新する局面を示すフローチャートである。
【図９Ａ】いくつかの実施形態に係る、ネットワーク接続された、プログラム可能なサーモスタットを遠隔制御するためのタッチスクリーンデバイス上のグラフィカルユーザインターフェイスの局面を示す図である。
【図９Ｂ】いくつかの実施形態に係る、ネットワーク接続された、プログラム可能なサーモスタットを遠隔制御するためのタッチスクリーンデバイス上のグラフィカルユーザインターフェイスの局面を示す図である。
【図９Ｃ】いくつかの実施形態に係る、ネットワーク接続された、プログラム可能なサーモスタットを遠隔制御するためのタッチスクリーンデバイス上のグラフィカルユーザインターフェイスの局面を示す図である。
【図９Ｄ】いくつかの実施形態に係る、ネットワーク接続された、プログラム可能なサーモスタットを遠隔制御するためのタッチスクリーンデバイス上のグラフィカルユーザインターフェイスの局面を示す図である。
【図９Ｅ】いくつかの実施形態に係る、ネットワーク接続された、プログラム可能なサーモスタットを遠隔制御するためのタッチスクリーンデバイス上のグラフィカルユーザインターフェイスの局面を示す図である。
【図９Ｆ】いくつかの実施形態に係る、ネットワーク接続された、プログラム可能なサーモスタットを遠隔制御するためのタッチスクリーンデバイス上のグラフィカルユーザインターフェイスの局面を示す図である。
【図９Ｇ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１０Ａ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１０Ｂ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１０Ｃ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１０Ｄ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１１Ａ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１１Ｂ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１１Ｃ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１１Ｄ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１１Ｅ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１１Ｆ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１２Ａ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１２Ｂ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１２Ｃ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１２Ｄ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１２Ｅ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１３Ａ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１３Ｂ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１３Ｃ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１３Ｄ】いくつかの実施形態に係る、ネットワーク接続された、プログラム可能なサーモスタットを遠隔制御するためのタッチスクリーンデバイス上のグラフィカルユーザインターフェイスの局面を示す図である。
【図１４Ａ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１４Ｂ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１５Ａ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１５Ｂ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１５Ｃ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１６Ａ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１６Ｂ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１６Ｃ】いくつかの他の実施形態に係る、ネットワーク接続された、プログラム可能なサーモスタットを遠隔制御するためのタッチスクリーンデバイス上のグラフィカルユーザインターフェイスの局面を示す図である。
【図１７Ａ】いくつかの他の実施形態に係る、範囲モードで動作する、ネットワーク接続された、プログラム可能なサーモスタットを遠隔制御するためのタッチスクリーンデバイス上のグラフィカルユーザインターフェイスの局面を示す図である。
【図１７Ｂ】いくつかの他の実施形態に係る、範囲モードで動作する、ネットワーク接続された、プログラム可能なサーモスタットを遠隔制御するためのタッチスクリーンデバイス上のグラフィカルユーザインターフェイスの局面を示す図である。
【図１７Ｃ】いくつかの他の実施形態に係る、範囲モードで動作する、ネットワーク接続された、プログラム可能なサーモスタットを遠隔制御するためのタッチスクリーンデバイス上のグラフィカルユーザインターフェイスの局面を示す図である。
【図１８Ａ】いくつかの実施形態に係るユーザフレンドリーな非円形サーモスタットの斜視図である。
【図１８Ｂ】いくつかの実施形態に係る、非円形サーモスタットを遠隔制御するためのタッチスクリーン上のグラフィカルユーザインターフェイスの局面を示す図である。
【図１８Ｃ】いくつかの実施形態に係る、非円形サーモスタットを遠隔制御するためのタッチスクリーン上のグラフィカルユーザインターフェイスの局面を示す図である。
【図１９】いくつかの実施形態に係る、タッチスクリーンデバイスを備えたタブレットコンピュータ上で実現されるサーモスタットグラフィカルユーザインターフェイスの局面を示す図である。
【考案を実施するための形態】
【００１３】
詳細な説明
この特許明細書の主題は、各々が本願明細書に引用により援用される、次の本考案の譲受人に譲渡された出願の主題に関する：２０１２年９月２１日に出願された米国出願番号第１３／６２４，８７５号（参照番号ＮＥＳ０２４５−ＵＳ）；２０１２年３月２９日に出願された米国出願番号第１３／４３４，５６０号（参照番号ＮＥＳ０２１２−ＵＳ）；２０１２年１月３日に出願された国際出願番号ＰＣＴ／ＵＳ１２／００００７号；２０１２年５月８日に出願された米国出願番号第１３／４６６，８１５号（参照番号ＮＥＳ０１７９−ＵＳ）；米国出願番号第１３／４６７，０２５号（参照番号ＮＥＳ０１７７−ＵＳ）；２０１２年６月５日に米国特許第８，１９５，３１３号（参照番号ＮＥＳ０１７５−ＵＳ）として特許付与された、２０１２年１月１７日に出願された米国出願番号第１３／３５１，６８８号；２０１１年１０月１７日に出願された米国出願番号第１３／３１７，４２３号（参照番号ＮＥＳ０１５９−ＵＳ）；２０１１年１０月７日に出願された米国出願番号第１３／２６９，５０１号（参照番号ＮＥＳ０１２０−ＵＳ）；２０１１年１０月２１日に出願された米国出願番号第６１／６２７，９９６号（参照番号ＮＥＳ０１０１−ＰＲＯＶ）；２０１０年１２月３１日に出願された米国出願番号第６１／４２９，０９３号（参照番号ＮＥＳ００３７Ａ−ＰＲＯＶ）；２０１０年１１月１９日に出願された米国出願番号第６１／４１５，７７１号（参照番号ＮＥＳ００３７）；および２０１０年９月１４日に出願された米国出願番号第１２／８８１，４３０号（参照番号ＮＥＳ０００２−ＵＳ）。本明細書では、上記特許出願を「本考案の譲受人に譲渡された」出願と総称する。
【００１４】
考案の詳細な説明をここに設ける。いくつかの実施形態が説明されるが、考案は、任意の一つの実施形態に限定されず、数多くの代替物、改良、および均等物を包含することが理解されるべきである。さらに、考案の十分な理解を設けるために、以下の説明に数多くの具体的な詳細を記載するが、いくつかの実施形態は、これらの詳細の一部またはすべてがなくても実施可能である。さらに、明確さのために、考案を不必要に曖昧にすることを回避するために、関連技術において知られている特定の技術材料は詳細に記載されていない。
【００１５】
ここで、「ＨＶＡＣ」という用語は、暖房および冷房の両方、暖房のみ、冷房のみを提供するシステム、ならびに、加湿、除湿および換気などの、他の居住者の快適さおよび／または調節機能を提供するシステムを含む。
【００１６】
ここで、電力「ハーベスティング（"harvesting"）」、「シェアリング（"sharing"）」および「スティーリング（"stealing"）」という用語はすべて、ＨＶＡＣサーモスタットについて述べる場合、直接または共通の配線源を変圧器から直接使用せずに、機器負荷により電力変圧器から電力を取り出すよう設計されたサーモスタットを指す。
【００１７】
ここで、「住宅用（"residential"）」という用語は、ＨＶＡＣシステムについて述べる場合、一世帯住居として主に使用される建物の屋内を暖房する、冷房するおよび／またはそれ以外に調節するのに好適なＨＶＡＣシステムのタイプを意味する。住宅用と見なされ得る冷房システムの一例は、約５トン未満の冷却（１トンの冷却＝１２，０００Ｂｔｕ／ｈ）の冷房能力を有し得ることであり得る。
【００１８】
ここで、「軽商用（"light commercial"）」という用語は、ＨＶＡＣシステムについて述べる場合、主に商業目的のために使用されるが、住居用ＨＶＡＣシステムが好適であると見なされるサイズおよび構造である、建物の屋内を暖房する、冷房するおよび／またはそれ以外に調節するのに好適なＨＶＡＣシステムのタイプを意味する。住宅用と見なされ得る冷房システムの一例は、約５トン未満の冷却の冷房能力を有し得ることであり得る。
【００１９】
ここで、「サーモスタット（"thermostat"）」という用語は、周囲の包囲空間の少なくとも一部内の温度および／または湿度などのパラメータを調節するためのデバイスまたはシステムを意味する。「サーモスタット」という用語は、暖房および／もしくは冷房システム、またはヒータもしくはエアコンディショナの構成部品のための制御ユニットを含んでいてもよい。ここで、「サーモスタット」という用語はまた、一般に、洗練され、カスタマイズされた、エネルギーを節約するＨＶＡＣ制御機能を提供するように構成され、適合されているとともに、視覚的に魅力的で、とっつきやすく、見た目に上品で、楽しく使いやすい、汎用性感知および制御ユニット（ＶＳＣＵユニット）を指し得る。
【００２０】
図１は、スマートホーム環境の例を示しており、スマートホーム環境においては、さらに本願明細書において記載されるデバイス、方法、システム、サービスおよび／またはコンピュータプログラムプロダクトの１つ以上が適用可能であり得る。示されたスマートホーム環境は、たとえば家、オフィスビルディング、ガレージ、または移動住宅を含み得る構造１５０を含む。デバイスはさらに、アパート、コンドミニアムまたはオフィス空間のような、構造１５０の全体を含まないスマートホーム環境へ統合され得るということが認識されるであろう。さらに、スマートホーム環境は、実際の構造１５０の外部のデバイスを制御し得るおよび／または当該デバイスに接続され得る。確かに、スマートホーム環境におけるいくつかのデバイスは、物理的に構造１５０内にある必要が一切ない。たとえば、プールヒータまたは用水システムを制御するデバイスは、構造１５０の外部に位置し得る。
【００２１】
図示される構造１５０は、壁１５４を介して少なくとも部分的に互いから分離される複数の部屋１５２を含む。壁１５４は、内壁または外壁を含み得る。各部屋はさらに、床１５６および天井１５８を含み得る。デバイスは壁１５４、床または天井に設置、統合、および／または支持され得る。
【００２２】
図１に示されるスマートホームは、インテリジェントで、マルチセンシングの、ネットワーク接続されたデバイスを含む複数のデバイスを含み、これらのデバイスは、互いにシームレスに統合され得る、および／または、クラウドベースのサーバにシームレスに統合されて、さまざまな有用なスマートホームの目的のいずれかを提供し得る。スマートホーム環境および／または図において示されるデバイスの１つ、複数または各々は、本明細書に記載されるように１つ以上のセンサ、ユーザインターフェイス、電源、通信コンポーネント、組立式ユニットおよびインテリジェントソフトウェアを含み得る。デバイスの例は、図１に示される。
【００２３】
インテリジェントで、マルチセンシングの、ネットワーク接続されたサーモスタット１０２は、周囲気候特性（たとえば温度および／または湿度）を検出し、暖房、換気および空調（ＨＶＡＣ：heating, ventilation and air conditioning）システム１０３を制御し得る。１つ以上のインテリジェントで、ネットワーク接続された、マルチセンシングのハザード検出ユニット１０４は、ホーム環境中の有害物質および／または有害状態（たとえば煙、火または一酸化炭素）の存在を検出し得る。１つ以上のインテリジェントで、マルチセンシングの、ネットワーク接続された玄関インターフェイスデバイス１０６（以下、「スマートドアベル」と称される）は、ある位置への人の接近もしくは当該位置からの出発を検出し、音響機能を制御し、音声もしくは視覚的手段を介して人の接近もしくは出発を知らせるか、または（たとえばセキュリティシステムを有効化もしくは無効化するよう）セキュリティシステム上の設定を制御し得る。
【００２４】
複数のインテリジェントで、マルチセンシングの、ネットワーク接続された壁照明スイッチ１０８の各々は、周囲照明状態を検出し、部屋の占有（在室）状態を検出し、１つ以上の照明の電力および／または薄暗さの状態を制御し得る。いくつかの場合において、照明スイッチ１０８は、さらにまたは代替的に、天井のファンのようなファンの電力状態またはスピードを制御し得る。複数のインテリジェントで、マルチセンシングの、ネットワーク接続された壁プラグインターフェイス１１０の各々は、部屋または包囲空間の占有を検出し得るとともに、（たとえば誰も在宅でなければ電力がプラグに供給されないように）１つ以上の壁プラグへの電力の供給を制御し得る。スマートホームはさらに、複数のインテリジェントで、マルチセンシングの、ネットワーク接続された器具１１２を含んでいてもよく、スマート器具１１２はたとえば、冷蔵庫、ストーブおよび／またはオーブン、テレビ、洗濯機、ドライヤ、（構造１５０の内部および／または外部の）照明、ステレオ、インターコムシステム、ガレージドア開閉器、床ファン、天井ファン、家全体のファン、壁エアコンディショナ、プールヒータ１１４、灌漑システム１１６、および（カメラ、モーション検出器および窓／ドアセンサなどのセキュリティシステムコンポーネントを含む）セキュリティシステムなどである。図１の説明は、特定のデバイスに関連付けられる特定のセンサおよび機能を識別し得るが、さまざまなセンサおよび機能（明細書全体に記載されるものなど）のいずれかがデバイス内に一体化され得ることが理解されるであろう。
【００２５】
処理および感知能力を含むことに加えて、デバイス１０２、１０４、１０６、１０８、１１０、１１２、１１４および１１６の各々は、デバイス１０２、１０４、１０６、１０８、１１０、１１２、１１４および１１６のうちの他のもの、ならびに世界のどこかでネットワーク接続される任意のクラウドサーバまたは任意の他のデバイスとデータ通信および情報共有可能である。デバイスは、さまざまなカスタムもしくは標準の無線プロトコル（Ｗｉ−Ｆｉ、ＺｉｇＢｅｅ（登録商標）、６ＬｏＷＰＡＮなど）のうちのいずれか、および／または、さまざまなカスタムもしくは標準の有線プロトコル（ＣＡＴ６  Ｅｔｈｅｒｎｅｔ（登録商標）、ＨｏｍｅＰｌｕｇ（登録商標）など）のいずれかを介して通信を送受信可能である。壁プラグインターフェイス１１０は、無線または有線中継器として機能し得る、および／または、（ｉ）ＡＣコンセントに差し込まれ、ＨｏｍｅＰｌｕｇ（登録商標）または他の電力線プロトコルを用いて通信するデバイスと、（ｉｉ）ＡＣコンセントに差し込まれないデバイスとの間のブリッジとして機能し得る。
【００２６】
たとえば、第１のデバイスは、無線ルータ１６０を介して第２のデバイスと通信し得る。デバイスはさらに、インターネット１６２のようなネットワークへの接続を介して遠隔デバイスと通信し得る。インターネット１６２を通じて、デバイスは、中央サーバまたはクラウドコンピューティングシステム１６４と通信し得る。中央サーバまたはクラウドコンピューティングシステム１６４は、デバイスに関連付けられる製造業者、サポートエンティティまたはサービスプロバイダに関連付けられ得る。一実施形態について、ユーザは、電話またはインターネット接続されたコンピュータのような他の通信手段を使用する必要なく、デバイス自体を使用してカスタマーサポートにコンタクト可能であり得る。さらに、ソフトウェアアップデートは、（たとえば、利用可能なとき、購入されたとき、またはルーチン間隔で）自動的に中央サーバまたはクラウドコンピューティングシステム１６４からデバイスへ送信され得る。
【００２７】
ネットワーク接続性によって、図１のスマートホームデバイスの１つ以上はさらに、ユーザがデバイスに近接していない場合であっても、ユーザがデバイスと対話することを可能にし得る。たとえば、ユーザは、コンピュータ（たとえばデスクトップコンピュータ、ラップトップコンピュータまたはタブレット）または他の携帯電子デバイス（たとえばスマートフォン）を使用してデバイスと通信し得る。ウェブページまたはアプリは、ユーザからの通信を受け取り、当該通信に基づいてデバイスを制御するよう構成され得る、および／または、デバイスの動作に関する情報をユーザに提示するよう構成され得る。たとえば、ユーザは、デバイスについて現在の設定点温度を観察し、コンピュータを使用してそれを調整し得る。ユーザは、この遠隔通信の間に、構造の中または構造の外に存在し得る。
【００２８】
スマートホームはさらに、壁プラグインターフェイス１１０によって、粗く（ＯＮ／ＯＦＦ）ではあるが制御され得る古い従来の洗濯機／ドライヤ、冷蔵庫などのようなさまざまな通信を行なわないレガシー器具１４０を含み得る。スマートホームはさらに、赤外線（「ＩＲ」）制御された壁エアコンディショナまたは他のＩＲ制御されたデバイスのような、スマートハザード検出器１０４または照明スイッチ１０８によって提供されるＩＲ信号によって制御され得るさまざまな部分的に通信するレガシー器具１４２を含み得る。
【００２９】
図２は、いくつかの実施形態に係る、図１のスマートホームが統合され得る拡張可能なデバイスおよびサービスプラットフォームのネットワークレベルの図を示す。図１のインテリジェントなネットワーク接続デバイスの各々は、１つ以上の遠隔中央サーバまたはクラウドコンピューティングシステム１６４と通信し得る。通信は、インターネット１６２への接続を、（たとえば、無線キャリアへの３Ｇ／４Ｇ接続を使用して）直接的に確立することによって、（たとえば単純な無線ルータからインテリジェントな専用の全ホーム制御ノードまでの範囲のスキームであり得る）ハブ付ネットワークを通じて確立することによって、または、これらの任意の組合せにより確立することによって可能となり得る。
【００３０】
中央サーバまたはクラウドコンピューティングシステム１６４は、スマートホームデバイスから動作データ２０２を収集し得る。たとえば、デバイスは、動作データを定期的に送信し得るまたは特定の場合に（たとえば、カスタマーサポートをリクエストするとき）動作データを送信し得る。中央サーバまたはクラウドコンピューティングアーキテクチャ１６４はさらに、１つ以上のサービス２０４を提供し得る。サービス２０４はたとえば、ソフトウェアアップデート、カスタマーサポート、センサデータ収集／ロギング、遠隔アクセス、遠隔もしくは分散制御、または、（たとえば、性能を向上させる、ユーティリティコストを低減するなどのために収集された動作データ２０２に基づいた）使用の提案を含み得る。サービス２０４に関連付けられるデータは、中央サーバまたはクラウドコンピューティングシステム１６４に格納され得て、中央サーバまたはクラウドコンピューティングシステム１６４は、適切なとき（たとえば一定の間隔、ユーザから要求を受け取る際など）にデータを抽出および送信し得る。
【００３１】
図２に図示されるように、記載される拡張可能デバイスおよびデバイスプラットフォームの一つの目立った特徴は、単一のサーバに集中され得るまたはいくつかの異なるコンピューティングエンティティの間に分散され得る処理エンジン２０６であるが、これに限定されない。処理エンジン２０６は、データを索引付けし、データを分析し、および／または、分析に基づきもしくは分析の一部として統計を生成するために、（たとえばインターネットまたはハブ付ネットワークを介して）一式のデバイスからデータを受け取るように構成されるエンジンを含み得る。分析されたデータは、導き出されたデータ２０８として格納され得る。分析または統計の結果はその後、結果を導き出すのに用いられる動作データを提供したデバイス、他のデバイス、デバイスのユーザにウェブページを提供するサーバ、または他の非デバイスエンティティに送信され得る。たとえば、使用統計、他のデバイスの使用に対する使用統計、使用パターン、および／またはセンサ読み取りを要約する統計が送信され得る。結果または統計がインターネット１６２を介して提供され得る。このように、処理エンジン２０６は、スマートホームから得られる動作データからさまざまな有用な情報を導き出すために構成およびプログラムされ得る。単一のサーバは、１つ以上のエンジンを含み得る。
【００３２】
導き出されたデータは、ホームごと、近隣ごと、または地域ごとでのデバイスの明示的なプログラム制御（たとえば電気設備についての需要応答プログラム）からホームごとに支援し得る推論抽象化の生成（たとえば、ホームの所有者が休暇に出ているのでセキュリティ検出機器の感度は高められるという推論が引き出され得る）まで、政府または公益目的のために使用され得る統計および関連付られる推論抽象化の生成までの範囲のさまざまな有用な目的のためにさまざまな異なる粒度で非常に有益であり得る。たとえば、処理エンジン２０６は、デバイスの集団にわたってデバイス使用に関する統計を生成し、（たとえば、統計に対する金銭上の補償を要求したまたは提供し得た）デバイスユーザ、サービスプロバイダまたは他のエンティティに統計を送信し得る。具体的な例証としては、統計は、チャリティ２２２、政府のエンティティ２２４（たとえば食品薬品局または環境保護局）、学術機関２２６（たとえば大学の研究者）、事業体２２８（たとえば関連機器へのデバイス保証またはサービスを提供する）、または公益会社２３０に送信され得る。これらのエンティティは、エネルギー使用を低減するために、故障機器を先制して修理するために、高いサービス需要の準備をするために、過去のサービス性能などをトラッキングするためなど、または、既知もしくは後に開発されるさまざまな有益な機能もしくはタスクのいずれかを実行するために、データを使用してプログラムを構成し得る。
【００３３】
図３は、処理エンジン２０６およびスマートホームのデバイスを特に参照して、図２の拡張可能デバイスおよびサービスプラットフォームの抽象的な機能図を示す。スマートホームに位置するデバイスは、無限のさまざまな異なる個々の能力および限界を有するが、それらの各々がデータコンシューマ３０２（ＤＣ）、データソース３０４（ＤＳ）、サービスコンシューマ３０６（ＳＣ）およびサービスソース３０８（ＳＳ）であるという共通の特性をすべてが共有すると考えられ得る。有利なことに、それらのローカルおよび直接の目的を達成するためにデバイスに必要とされる本質的な制御情報を提供することに加えて、拡張可能デバイスおよびサービスプラットフォームはまた、これらのデバイスから流れている大量のデータを利用するように構成され得る。それらの直接的な機能に関してデバイス自体の実際の動作を向上または最適化することに加えて、拡張可能デバイスおよびサービスプラットフォームは、さまざまな有用な目的を達成するために、さまざまな自動化され、拡張可能であり、フレキシブルで、および／またはスケーラブルな態様でそのデータを「別の目的のために再利用する（repurposing）」ことにも向けられ得る。これらの目的は、たとえば使用パターン、デバイス効率および／またはユーザ入力（たとえば特定の機能を要求）に基づき、予め規定または適応して識別され得る。
【００３４】
たとえば図３は、多くのパラダイム３１０を含む処理エンジン２０６を示す。処理エンジン２０６は、一次的または二次的なデバイス機能を監視および管理する管理サービスパラダイム３１０ａを含み得る。デバイス機能は、デバイスに与えられたユーザ入力の適正な動作を保証すること、侵入者が住居にいるかもしくは住居に入ることを試みていることを推定する（たとえば、それに応答する）こと、デバイスに接続される機器の不良（たとえば照明灯が切れたなど）を検出すること、エネルギー需要応答イベントを実現もしくはそうでなければ応答すること、または、現在もしくは予測された将来のイベントもしくは特性をユーザに警告することを含み得る。処理エンジン２０６はさらに、デバイスの使用に基づいて、ユーザの特性（たとえば人口学的情報）、ユーザの要望および／または興味のある製品を推定する広告／通信パラダイム３１０ｂを含み得る。サービス、プロモーション、製品またはアップグレードは、ユーザに自動的にオファーまたは提供され得る。処理エンジン２０６はさらにソーシャルパラダイム３１０ｃを含み得て、ソーシャルパラダイム３１０ｃは、ソーシャルネットワークからの情報を使用し、（たとえばデバイスの使用に基づいて）ソーシャルネットワークに情報を提供し、ソーシャルネットワークプラットフォームとのユーザおよび／またはデバイス対話に関連付けられるデータを処理し得る。たとえば、ソーシャルネットワーク上でのユーザの信頼された関係部署に報告されるようなユーザのステータスは、照明の検出、セキュリティシステムの不活性化、またはデバイス使用検出器に基づき、彼らがいつ在宅であるかを示すよう更新され得る。別の例として、ユーザは、他のユーザとのデバイス使用の統計を共有することが可能である。処理エンジン２０６は、チャレンジ／ルール／コンプライアンス／報酬パラダイム（challenges/rules/compliance/rewards paradigm）３１０ｄを含み得て、チャレンジ／ルール／コンプライアンス／報酬パラダイム３１０ｄは、チャレンジ、ルール、コンプライアンス規則、および／もしくは報酬をユーザに通知し、ならびに／または、チャレンジ／ルール／コンプライアンス／報酬パラダイム３１０ｄは、動作データを使用して、チャレンジが合致したか、ルールもしくは規則は遵守されたか、および／もしくは、報酬が得られたかどうかを判定する。チャレンジ、ルールまたは規則は、エネルギーを節約する努力、安全に生活する（たとえば毒素または発がん性物質に晒されることを低減する）努力、金銭の節約および／または機器寿命の保護をする努力、健康を改善する努力などに関し得る。
【００３５】
処理エンジンは、１つ以上の処理パラダイムの機能を向上させるために、外部源からの外部情報３１６を統合または別の態様で利用し得る。外部情報３１６は、デバイスから受け取られた動作データを解釈し、デバイスの近くの環境（たとえばデバイスが囲まれる構造の外側）の特徴を判定し、ユーザに利用可能なサービスまたは製品を判定し、ソーシャルネットワークまたはソーシャルネットワーク情報を識別し、デバイスの近くのエンティティ（たとえば緊急状態対応チーム、警察または病院のような公衆サービスエンティティ）のコンタクト情報などを判定し、かつ、ホームまたは近隣に関連付けられる統計もしくは環境条件、傾向もしくは他の情報を識別するためなどに使用され得る。
【００３６】
顕著な範囲のさまざまな利点が、通常のものから重要なものまで、記載された拡張可能デバイスおよびサービスプラットフォームによってもたらされ得るとともに当該拡張可能デバイスおよびサービスプラットフォームの範囲内に適合され得る。したがって、１つの「通常の」例では、スマートホームの各寝室には、占有センサを含む煙／火／ＣＯアラームが設けられ得て、占有センサはさらに、（たとえばモーション検出、顔認識、可聴音パターンなどによって）居住者が眠っているかまたは起きているかどうかを推論することができる。重大な火事イベントが感知されると、遠隔セキュリティ／監視サービスまたは消防署は、各寝室に何人の居住者がいるか、それらの居住者がまだ眠っている（もしくは動かない）かどうか、または、彼らが適切に寝室から避難したどうかアドバイスされる。もちろんこれは、記載された拡張可能デバイスおよびサービスプラットフォームによって対応される非常に有利な能力であるが、利用可能になり得るさらに大きな「インテリジェンス」のポテンシャルを正確に示し得る実質的により「重要な」例が存在し得る。恐らくより「重要な」例として、火事の安全性に使用されている同じデータ寝室占有データが、近隣の子どもの発育および教育のソーシャルパラダイムの文脈において、処理エンジン２０６によって「別の目的で再利用」され得る。したがって、たとえば、「通常の」例で論じられた同じ寝室占有およびモーションデータが収集されて、特定の郵便番号における生徒の睡眠パターンが識別およびトラッキングされ得る処理（適切に匿名化される）のために利用可能となり得る。生徒の睡眠パターンの局所的な変動が識別されて、たとえば、地元の学校における異なる栄養プログラムに相関され得る。
【００３７】
図４は、いくつかの実施形態に係るＨＶＡＣシステムの概略図である。ＨＶＡＣシステム１０３は、図１に示される構造１５０などの包囲空間に暖房、冷房、換気、および／または空調を提供する。システム１０３は、通風型の暖房および冷却システムを図示しているが、他の実施形態によれば、放射熱ベースのシステム、ヒートポンプベースのシステムなどの他のタイプのＨＶＡＣシステムも使用可能であり得る。
【００３８】
暖房機能を実施するために、空調器４４０内の加熱コイルまたは素子４４２は、電気またはガスを使用した熱源をライン４３６を介して提供する。冷気は、ファン４３８を用いて、フィルタ４７０を通してリターン送風ダクト４４６を介して包囲空間から吸引され、加熱コイルまたは素子４４２により加熱される。加熱された空気は、送風ダクトシステム４５２およびレジスタ４５０などの送風レジスタを介して、１つ以上の位置で包囲空間内に戻る。冷却の際には、外部コンプレッサ４３０がフロンなどのガスを一式の熱交換器コイルおよび次に膨張弁に通過させる。その後、ガスはライン４３２を通過して、空調器４４０内の冷却コイルまたはエバポレータコイル４３４に移動し、空調器４４０は、ファン４３８を介して循環している空気を膨張し、冷却する。空気がダクトシステム４５２を通過する前に空気に水分を戻す加湿器４５４が、さまざまな実施形態において任意に含まれていてもよい。図４には図示されないが、ＨＶＡＣシステム１０３の代替的実施形態は、外部にまたは外部から換気するなどの他の機能、ダクトシステム４５２内の気流を制御する１つ以上のダンパ、および緊急加熱ユニットを有していてもよい。ＨＶＡＣシステム１０３の全体的な動作は、制御信号線４４８によりサーモスタット１０２と通信する制御電子機器４１２によって選択的に駆動される。
【００３９】
図５Ａ〜図５Ｄは、いくつかの実施形態に係る、視覚的に心地よく、滑らかで、流麗な円形の外観を有するとともに、占有状態および／またはユーザを検出するための１つ以上のセンサを含むサーモスタットを示す。図５Ａは、サーモスタット１０２の正面図であり、図５Ｂは、底面図であり、図５Ｃは、右側面図であり、図５Ｄは、斜視図である。多くの先行技術のサーモスタットと異なり、サーモスタット１０２は、流麗な、シンプルな、端正な、かつ上品なデザインを有しており、このデザインは、家の装飾を損なわず、実に、それが設置されたその場において視覚的に心地よい中心的な置物として機能し得る。さらに、サーモスタット１０２のデザインによって、サーモスタット１０２とのユーザ対話が容易となり、既知の従来のサーモスタットより大きく向上する。サーモスタット１０２は、制御回路を含み、図１〜図４に示されるものなどのＨＶＡＣシステム１０３に電気的に接続されている。サーモスタット１０２は、壁に取付可能であり、円形の形状であり、ユーザ入力を受付けるための外側回転リング５１２を有している。サーモスタット１０２は、壁に取付けられると概ねディスク状の円形物体のように見える円形の形状である。サーモスタット１０２は、外側リング５１２内部に位置する大きな凸状の円形前面を有している。いくつかの実施形態によれば、サーモスタット１０２は、直径およそ８０ｍｍであり、壁に取付けられると、壁面から３２ｍｍ突出する。外側回転リング５１２は、ユーザが新たな設定点温度を選択するなどの調整を行なうことを可能にする。たとえば、外側リング５１２を時計回りに回転させることによって、リアルタイムの（すなわち、現在アクティブな）設定点温度を上げることができ、外側リング５１２を反時計回りに回転させることによって、リアルタイムの設定点温度を下げることができる。サーモスタット１０２の前面は、いくつかの実施形態によれば、ポリカーボネートである透明カバー５１４と、サーモスタット１０２の曲線状の外側前面の輪郭に一致する外形を有するフレネルレンズ５１０とを含む。いくつかの実施形態によれば、フレネルレンズ要素は、サーモスタット１０２の外側を見てもはっきりと見えないように、フレネルレンズ部材５１０の内面上に形成されている。フレネルレンズの後方には、占有状態を検出するための受動赤外線センサ５５０が存在しており、フレネルレンズ部材５１０は、人体への感度に適切な赤外線透過範囲を有する高密度ポリエチレン（ＨＤＰＥ）からなる。図５Ａ〜図５Ｄに示されるように、回転リング５１２の前縁、前面５１４およびフレネルレンズ５１０は、それらがともに、共通の外側アーチまたは外側に緩やかにアーチを形成する球形を有する一体型の凸状円形前面を形成するように形状付けられている。
【００４０】
カバー５１４は、ポリカーボネートなどの材料からなる単一のレンズ部材から形成されるが、外側部分５１４ｏおよび中央部分５１４ｉを含む２つの異なる領域または部分を有する。いくつかの実施形態によれば、カバー５１４は、外側部分５１４ｏの周りにおいて塗装または曇らされているが、中央部分５１４ｉは、その下に配置される電子ディスプレイ５１６を容易に視認できるよう目に見えて透明のままにされる。いくつかの実施形態によれば、曲線状カバー５１４は、電子ディスプレイ５１６においてユーザに表示されている情報を拡大する傾向のあるレンズとして作用する。いくつかの実施形態によれば、中央の電子ディスプレイ５１６は、セグメント化レイアウトではなく、任意の形状が生成可能なドットマトリックスレイアウト（すなわち、個別にアドレス指定可能）である。いくつかの実施形態によれば、ドットマトリックスレイアウトおよびセグメント化レイアウトの組合せが使用される。いくつかの実施形態によれば、中央ディスプレイ５１６は、バックライト付カラー液晶ディスプレイ（ＬＣＤ）である。電子ディスプレイ５１６に表示される情報の一例は、図５Ａに図示されており、現在の設定点温度を示す中央にある数値５２０を含み、これは、この場合華氏６７度である。電子ディスプレイ５１６にさらに示されているのは、目盛りの円形配置５７０であり、この上では、現在の周囲温度が、周囲温度マーカ５７２と、周囲温度が現在華氏７０度であることを示している隣接する小さな数値７０とによって示されている。さらに、目盛りの円５７０内には設定点カレット記号５８０が示されており、これは、この場合華氏６７度である現在の設定点温度をグラフィックスにより示している。現在の設定点温度は、リング５１２を回転することによってユーザによって簡単にかつ直感的に調整可能である。リング５１２の回転を検出したことに応じて、設定点カレット５８０は、リアルタイムで目盛りの円５７０に沿って回転され、これにより、ユーザエクスペリエンスを向上させる有用なフィードバックが設けられることがわかっている。
【００４１】
サーモスタット１０２は、好ましくは、電子ディスプレイ５１６が固定の向きにあり、外側リング５１２と共に回転しないことにより、電子ディスプレイ５１６がユーザによって容易に読まれる状態のままとなるように構築される。いくつかの実施形態については、カバー５１４およびフレネルレンズ５１０も固定の向きのままであり、外側リング５１２と共に回転しない。サーモスタット１０２の直径が約８０ｍｍである一実施形態によれば、電子ディスプレイ５１６の直径は、約４５ｍｍである。いくつかの実施形態によれば、カバー５１４、フレネルレンズ５１０およびリング５１２の前面部分から構成される、サーモスタット１０２の前面の緩やかな外側曲線形状は、球形であり、１００ｍｍ〜１５０ｍｍの間の半径を有する球体と一致する。いくつかの実施形態によれば、サーモスタット前面の球形の半径は、約１３６ｍｍである。
【００４２】
ＰＩＲセンサ５５０および他の技術によるモーション感知は、引用により本明細書に援用される、本考案の譲受人に譲渡された米国出願番号第１２／８８１，４３０号（参照番号ＮＥＳ０００２−ＵＳ）にさらに説明されるように、占有状態の検出および／または予測に使用可能である。いくつかの実施形態によれば、占有状態の情報は、効果的かつ効率的なスケジュール表を生成するのに用いられる。接近するユーザを検出するために、下方に傾けられた第２のＰＩＲセンサ５５２が設けられている。近接センサ５５２は、ユーザがサーモスタットに近づいてくるとき、ユーザがサーモスタットに触れる前にサーモスタット１０２が「起動」を開始することができるように、約１メートルの範囲内で近接を検出するために使用可能である。このような近接感知の使用は、ユーザがサーモスタットと対話する準備ができたらできるだけ早く、またはその後直ちに対話の「準備」ができることによって、ユーザエクスペリエンスを向上させるために有用である。さらに、この近接時起動機能はまた、ユーザとの対話が行なわれていないまたは行なわれようとしていないときに「スリープする」ことによって、サーモスタット内のエネルギー節約を可能にする。
【００４３】
いくつかの実施形態によれば、ユーザの信頼を付与し、視覚的および機能的な上品さをさらに促すという組合された目的のために、サーモスタット１０２は、２つのタイプのユーザ入力によってのみ制御される。すなわち、第１のユーザ入力は、図５Ａに示されるように外側リング５１２の回転であり（以下、「リングを回転」または「リング回転」入力と記載する）、第２のユーザ入力は、可聴なおよび／または触知できる「クリック」が生じるまでのヘッドユニット５４０の内側プッシュである（以下、「内側クリック」または単に「クリック」入力と記載する）。このような実施形態については、ヘッドユニット５４０は、外側リング５１２、カバー５１４、電子ディスプレイ５１６、およびフレネルレンズ５１０のすべてを含むアセンブリである。ユーザによって内側に押下されると、ヘッドユニット５４０は、内部金属製ドームスイッチ（図示せず）に対して、０．５ｍｍなどの少量だけ内側に移動し、その後、内側圧力が開放されると、同じ量だけばねにより外側に戻り、これにより、ユーザの手に十分に触知できる「クリック」感とともに、それに応じて小さく可聴なクリック音が設けられる。したがって、図５Ａ〜図５Ｄの実施形態については、内側クリックは、外側リング５１２自体を直接押下することによって、または、カバー５１４、レンズ５１０、もしくはこれらのさまざまな組合せに対して内側の圧力を付与することによる外側リングの間接的な押下によって達成され得る。他の実施形態については、サーモスタット１０２は、カバー５１２およびレンズ５１０が動かないままの状態で、外側リング５１２のみが内側クリック入力により内側に移動するように機械的に構成され得る。外側リング５１２自体であれ、カバー５１４の何らかの部分であれ、またはこれらの何らかの組合せであれ、「内側クリック」入力を達成するために内側に移動する特定の機械的要素のさまざまな異なる選択および組合せが本願の教示の範囲内であることが認識されるべきである。しかしながら、片手で、かつ必要最低限の時間および労力で、ユーザが「リング回転」の登録と「内側クリック」の登録との間を迅速に往復できるようにすることが特に有利であることがわかっており、したがって、外側リング５１２を直接押下することによって内側クリックを可能にすることが特に有利であることがわかっている。なぜなら、リング回転と内側クリックとの間を往復するために、ユーザの指をデバイスと接触しなくなるよう持ち上げたり、その表面に沿って摺動させる必要がないためである。さらに、電子ディスプレイ５１６を回転リング５１２内部の中心に戦略的に配置することは、入力プロセス中ずっと、ユーザが、その手で機能を実施しているちょうど真ん中に位置する電子ディスプレイに自然と注目できるという意味でさらなる利点を提供する。（限定されないが）特にサーモスタットの設定点温度の変更に適用されると、直感的外側リング回転が、内側クリックの十分な身体的感覚と好都合に組合され、さらに、ユーザの指の活動の真っただ中にある電子ディスプレイに自然と焦点が当てられることと組合されると、直感的な、シームレスな、まさしく快感なユーザエクスペリエンスが大きく増大する。いくつかの実施形態に従って使用される有利な機械的ユーザインターフェイスおよび関連デザインのさらなる説明は、すべて本明細書に引用により援用される、米国出願番号第１３／０３３，５７３号（参照番号ＮＥＳ００１６−ＵＳ）、米国出願番号第２９／３８６，０２１号（参照番号ＮＥＳ００１１−ＵＳ−ＤＥＳ）、および米国出願番号第１３／１９９，１０８号（参照番号ＮＥＳ００５４−ＵＳ）に含まれ得る。
【００４４】
図５Ｂおよび図５Ｃは、サーモスタット１０２の底面図および右側面図であり、該サーモスタットを、さまざまな異なるホーム環境およびホーム設定下でさまざまに異なる壁色および壁質感を背景にして眺めると、特に心地よく、適応性のある外観を付与することがわかっている。サーモスタット自体は、本明細書および本考案の譲受人に譲渡された援用される出願の１つ以上に記載されるように、ユーザのスケジュールに機能的に適応する一方で、外形は、特に、デバイス全体が視覚的かつ装飾的な意味で、ホームおよびビジネス環境に存在する最も一般的な壁色および壁質感の多くと自然に調和するように見えるように、「カメレオン」的な性質および特徴を伝えるように構成されており、これは、少なくとも一部には、それが多くのさまざまな角度で見られたときに周囲の色および質感さえをも呈するように見られるためである。
【００４５】
いくつかの実施形態によれば、サーモスタット１０２は、処理システム５６０、ディスプレイドライバ５６４およびワイヤレス通信システム５６６を含む。処理システム５６０は、ディスプレイドライバ５６４およびディスプレイ５１６にユーザに向けて情報を表示させ、かつ回転リング５１２を介してユーザ入力を受付けるように適合されている。処理システム５６０は、いくつかの実施形態によれば、さまざまなユーザインターフェイス特徴を含むサーモスタット１０２の動作の管理を実施することが可能である。処理システム５６０はさらに、以下に、および／または本考案の譲受人に譲渡された援用される出願の他の１つにおいてさらに説明されるように、他の動作を実施するようにプログラムされ、構成されている。たとえば、処理システム５６０はさらに、いずれも本明細書に引用により援用される、米国出願番号第１２／８８１，４６３号（参照番号ＮＥＳ０００３−ＵＳ）および国際特許出願ＰＣＴ／ＵＳ１１／５１５７９（参照番号ＮＥＳ０００３−ＰＣＴ）に記載されるように、ＨＶＡＣシステムが設置された包囲空間の熱力学的モデルを維持し、更新するようにプログラムされ、構成される。いくつかの実施形態によれば、ワイヤレス通信システム５６６は、パーソナルコンピュータおよび／または他のサーモスタットもしくはＨＶＡＣシステムコンポーネントなどのデバイスと通信するために使用され、該通信は、ピアツーピア通信、プライベートネットワーク上に配置される１つ以上のサーバを介した通信、および／またはクラウドベースのサービスを介した通信であり得る。
【００４６】
いくつかの実施形態によれば、特にユーザなどの専門家でない設置者によって設置、構成、および／またはアップグレードしやすいように、サーモスタット１０２は、ヘッドユニット５４０およびバックプレート（またはウォールドック（wall dock））５４２を含む。上に説明したように、サーモスタット１０２は、壁に取付けられ、円形の形状であり、ユーザ入力を受付けるための外側回転リング５１２を有している。サーモスタット１０２のヘッドユニット５４０は、バックプレート５４２上に摺動可能に設置可能であり、バックプレート５４２から摺動可能に取外し可能である。いくつかの実施形態によれば、ヘッドユニット５４０のバックプレート５４２への接続は、マグネット、バイオネット、ラッチおよびキャッチ、対応する窪みを有するタブもしくはリブを使用して、または、単純に、ヘッドユニット５４０およびバックプレート５４２の接合部分に対する摩擦を使用して達成され得る。図５Ａにさらに示されるのは、充電可能バッテリ５２２であり、本明細書に引用により援用される、同時係属中の米国特許出願番号第１３／０３４，６７４（参照番号ＮＥＳ０００６−ＵＳ）および第１３／０３４，６７８（参照番号ＮＥＳ０００７−ＵＳ）にさらに詳しく記載されるように、充電可能バッテリ５２２は、パワーハーベスティング（パワースティーリングおよび／またはパワーシェアリングとも呼ばれる）を介してＨＶＡＣシステム制御回路からまたは、可能な場合共通ワイヤから得られるバックプレートからの電力を使用する充電回路５２４を使用して充電される。いくつかの実施形態によれば、充電可能バッテリ５２２は、単セルリチウムイオンバッテリまたはリチウムポリマーバッテリである。
【００４７】
図６Ａ〜図６Ｄは、いくつかの実施形態に係る、ネットワーク接続されたプログラム可能なサーモスタットを遠隔制御するためのタッチスクリーンデバイス上のグラフィカルユーザインターフェイスの局面を示す。図６Ａにおいては、スマートフォン６００は、Ａｐｐｌｅ（登録商標）ｉＯＳオペレーティングシステムを実行するｉＰｈｏｎｅ（登録商標）４ｓとして示されているが、他の実施形態によれば、スマートフォン６００は、Ａｎｄｒｏｉｄ（登録商標）、Ｓｙｍｂｉａｎ（登録商標）、ＲＩＭ（登録商標）、またはＷｉｎｄｏｗｓ（登録商標）オペレーティングシステムなどの異なるオペレーティングシステムを実行する異なるデバイスでもあり得る。スマートフォン６００は、タッチセンシティブディスプレイ６１０を有し、タッチセンシティブディスプレイ６１０においてはさまざまなタイプの情報が示され、さまざまなタイプのユーザ入力が受けられ得る。ｉＰｈｏｎｅ（登録商標）４ｓの示された例については、ディスプレイ６１０は、対角線状に測定されると３．５インチである。しかしながら、他のスマートフォンは、たとえば、ｉＰｈｏｎｅ（登録商標）５（対角４インチ）、サムスンＧａｌａｘｙ  Ｓ３（対角４．８インチ）、およびサムスンＧａｌａｘｙ  Ｎｏｔｅ（対角５．３インチ）など、わずかにより小さい、またはより大きいディスプレイを有していてもよい。いずれの場合にも、スマートフォンのタッチスクリーンディスプレイの比較的小さいサイズは、ユーザフレンドリーなインターフェイスを設計する際に課題を提示する。なお、図６Ａではユーザの手６０２が縮尺どおりに示されているが、以下の図面では、ユーザの手は、本明細書に記載されている特徴を隠しすぎないようにより小さく示される。
【００４８】
ディスプレイエリアは、スマートフォン６００のオペレーティングシステムによって生成され、かつ該オペレーティングシステムに標準のトップ情報バー６２０を示している。図６Ａおよび図６Ｂでは、スマートフォンは、ディスプレイ６１０の長い縁が垂直に向けられるように、縦長方向に向けられている。上部バナーエリア６２２は、サーモスタット製造業者のロゴ、ならびに、ユーザのサーモスタットが設置された位置の市の名称および現在の屋外温度などの情報を含む。メインウィンドウエリア６３０は、サーモスタットが設置された家の記号６３２を、割当てられた名称とともに示している。また、サーモスタット記号６３４は、サーモスタットに割当てられた名称とともに表示されている。スマートフォン６００などの遠隔デバイスのためのユーザインターフェイスのさらなる詳細については、本考案の譲受人に譲渡された、援用される米国特許出願第１３／３１７，４２３号（参照番号ＮＥＳ０１５９−ＵＳ）および第１３／４３４，５６０号（参照番号ＮＥＳ０２１２−ＵＳ）を参照のこと。ユーザがユーザの指６０２でサーモスタットアイコン６３４をタッチしたことに応じて、擬似サーモスタットディスプレイエリア６３６に動画の移行が行なわれる。いくつかの実施形態によれば、ディスプレイエリア６３６は、エリア６３４より大きく、遠隔制御されているサーモスタット上のディスプレイを模擬するまたは非常に近似するように構成されている。この場合、エリア６３６は、図５Ａに示されるサーモスタット１０２の電子ディスプレイ５１６に非常に近似している。エリア６３６は、サーモスタットディスプレイ５１６の形状を模擬した円形であり、目盛り６７０の円形配置を含む、同じグラフィック要素の多くまたはすべてを含み、目盛り６７０の円形配置上には、周囲温度目盛り記号６７２によって現在の周囲温度が示される。周囲温度はまた、周囲温度が華氏７０度であることを示す小さい数値「７０」においても示される。現在の設定点温度は、カレット記号６８０および大きな中央の数値６７４によって示される。サーモスタットのグラフィカルユーザインターフェイスの局面に関するさらなる詳細については、いずれも本考案に引用により援用される、本考案の譲受人に譲渡された米国特許公開第２０１２／０１３０５４６号（参照番号ＮＥＳ０１２０−ＵＳ）および本考案の譲受人に譲渡された米国特許第８，１９５，３１３号（参照番号ＮＥＳ０１７５−ＵＳ）を参照のこと。いくつかの実施形態によれば、縦長モードに向けられると、さらなるユーザインターフェイス特徴が横長モードで利用可能であることをユーザに通知する通知６３８が表示される。ユーザがスマートフォン６００を横方向に回すと、スクリーンは、図６Ｃに示されるようなスクリーンに移行する。
【００４９】
図６Ｃでは、下部メニューバー６４０は、表示されるメニューが適用される記号を指す矢印形状を有している。図６Ｃに示される例では、メニュー６４０の矢印形状は、サーモスタット記号６３４を指しており、エネルギー、スケジュール、および設定のメニュー項目が「居間」と称されるサーモスタットに関連することを示している。図６Ａの場合のように、ユーザがサーモスタットアイコン６３４をタッチしたことに応じて、図６Ｄに示されるように擬似サーモスタットディスプレイエリア６３６へと動画の移行が行なわれる。
【００５０】
図７Ａ〜図７Ｄは、いくつかの実施形態に係る、ネットワーク接続されたプログラム可能なサーモスタットを遠隔制御するためのタッチスクリーンデバイス上のグラフィカルユーザインターフェイスの局面を示す。図７Ａでは、ユーザは、ユーザの指６０２で設定点カレット６８０をタッチし、「ドラッグ」ジェスチャを用いて、矢印７１０によって示されるように目盛りの円６７０に沿って反時計回り方向に指６０２先を摺動させる。「タッチおよびドラッグ」ジェスチャを検出したことに応じて、設定点カレット６８０が、ユーザの指６０２の先の下に留まるように、矢印７１２によって示されるように目盛りの円６７０に沿って動かされる。図７Ｂは、ドラッグジェスチャ中のユーザの指６０２および設定点カレット６８０の次の位置を示す。いくつかの実施形態によれば、中央の数値６７４は、目盛りの円６７０に沿って設定点カレット６８０の現在の位置に対応する設定点温度を示すようにリアルタイムで変更される。ユーザの指６０２および設定点カレット６８０は、矢印７１２および７１４によってそれぞれ示されるように反時計回り方向に移動し続けている。図７Ｃでは、ユーザは、示される指の位置でドラッグジェスチャを終了する。なお、設定点カレット６８０はここでは、中央の数値６７４によってユーザに示されるような華氏６１度の設定点温度に対応する。この時点で、ユーザはタッチスクリーンディスプレイから指６０２を持上げて、設定点温度は、図７Ｃに示される位置のまま留まる。図７Ｄは、図７Ａ〜図７Ｃに示されるようなユーザによる遠隔調整の後に、擬似化サーモスタットディスプレイエリア６３６が現在の設定点温度が華氏６１度であることを示すディスプレイ６１０を有するスマートフォン６００を示す。
【００５１】
図８は、いくつかの実施形態に係る、デバイスを遠隔で行なわれた新たなユーザ設定に更新する局面を示すフローチャートである。ステップ８１０では、たとえば、上記の図７Ａ〜図７Ｃ、ならびに下記の図９Ａ〜図９Ｃ、図９Ｅ〜図９Ｆ、図１０Ａ〜図１０Ｄ、図１１Ａ〜図１１Ｆ、図１２Ａ〜図１２Ｆ、図１３Ａ〜図１３Ｄ、図１４Ａ〜図１４Ｄ、図１５Ａ〜図１５Ｃ、図１６Ａ〜図１６Ｃおよび図１７Ａ〜図１７Ｃに示され、これらの図に関して記載されるように、ユーザの温度設定点を変更したいという要求が遠隔デバイス上で検出される。いくつかの実施形態によれば、図１に示されるクラウドサーバ１６４は、サーモスタットを規定する数多くのパラメータを含むサーモスタット１０２の「状態」を記録する。「状態」パラメータは、サーモスタット１０２と同様に、スマートフォン、タブレットＰＣ、ウェブクライアントなどの遠隔デバイスの各々とサーバ１６４との間で同期される。遠隔デバイスのいずれかにおいて状態を規定するパラメータのいずれかが変更されるたびに、クラウドサーバは、すべての他の遠隔デバイスおよびサーモスタット１０２を更新する。いくつかの実施形態によれば、実行されるサーモスタットと同様に、ネットワークデータトラフィック、ＨＶＡＣシステムコンポーネント、および／または他の遠隔デバイスへの影響を低減するために、クラウドサーバに変更された設定をアップロードする前に、ユーザ入力を検出した遠隔デバイスに対して遅延期間８１２を導入する。ユーザインターフェイスにより、ユーザが比較的大規模な変更（たとえば、華氏数度以上の設定点温度の変更）を容易にかつ単純に行なうことができるいくつかの場合には、遅延期間を導入することが有用であることがわかっている。多くの場合、ユーザは、１つ以上の大規模な変更の後に、より小規模な「微調整」変更を行なうことがわかっている。他の場合には、一部のユーザは、ユーザインターフェイスが非常に魅力的および／または楽しく、使いやすいと考えるため、彼らがユーザインターフェイスで「遊ぶ」傾向にあり、このため、比較的短時間でいくつかの変更を行なうことがわかっている。ユーザが設定を「微調整」できるようにする、またはインターフェイスと「遊ぶ」ことの影響を低減するためには、変更をクラウドサーバに送信する前に０．５秒〜５秒の遅延期間が好適であることがわかっている。いくつかの実施形態によれば、１秒〜２秒の遅延が好適であることがわかっている。なお、この遅延期間８１２の間、遠隔デバイス上のユーザインターフェイスは、リアルタイムでユーザ入力に対して応答可能のままである。言い換えれば、電子ディスプレイは、遅延期間８１２の間、上記の図７Ａ〜図７Ｃ、ならびに下記の図９Ａ〜図９Ｃ、図９Ｅ〜図９Ｆ、図１０Ａ〜図１０Ｄ、図１１Ａ〜図１１Ｆ、図１２Ａ〜図１２Ｆ、図１３Ａ〜図１３Ｄ、図１４Ａ〜図１４Ｄ、図１５Ａ〜図１５Ｃ、図１６Ａ〜図１６Ｃおよび図１７Ａ〜図１７Ｃに示されるように、ユーザのタッチおよびドラッグジェスチャに対して完全に応答可能のままである。遅延期間８１２の後、ステップ８１４では、遠隔デバイスは、図１に示されるように変更された設定をインターネット１６２を介してなどによりクラウドサーバ１６４に送信する。クラウドサーバ上での遅延ステップ８１６が示されているが、これは、いくつかの実施形態によれば、ユーザ入力を受付けた遠隔デバイス上での遅延期間８１２の代わりにまたはそれに加えて使用され得る。ステップ８１８では、クラウドサーバは、すべての他の登録されたデバイス（他のスマートフォンおよび／またはタブレットＰＣ、ウェブクライアントなど）および１つ以上のサーモスタット１０２（本願のさまざまな図に示されるものなど）に新たなまたは修正された設定を送信する。ステップ８２０では、新たな設定点温度設定を用いてＨＶＡＣシステムを制御するために１つまたは複数のサーモスタット１０２が使用される。ステップ８１２および／または８１６におけるように遅延を導入することは、一部のＨＶＡＣシステムコンポーネントに対する設定変更の影響を大きく減少し得ることがわかっている。たとえば、遠隔デバイスインターフェイスを用いて、ユーザが設定点温度を急速に変更すると、ＨＶＡＣシステムは短時間で繰返しオン・オフされる可能性がある。多くのＡＣコンプレッサなどの一部のＨＶＡＣコンポーネントは、急速なサイクリングを防止する内蔵の「ロックアウト」特徴を有しているものの、すべてのコンポーネントがこのような保護を有しているわけではない。たとえば、多くのファンモータはこのような保護を有していない。このような場合、ステップ８１２および／または８１６におけるような遅延が、そうでなければ保護されないＨＶＡＣコンポーネントの急速なサイクリングを防止するのに有用である。
【００５２】
いくつかの他の実施形態によれば、ネットワークトラフィックおよび／またはＨＶＡＣコンポーネントへの影響を低減するために他の方法が使用され得る。たとえば、一実施形態によれば、設定点変化の繰返しの反転が検出される場合（たとえば、ユーザが設定点温度を上げて、次に下げて、次に上げて、次に下げるなど）、ユーザインターフェイスはユーザの入力に対してアクティブかつ応答可能のままであるが、ユーザインターフェイスは、より長い遅延（すなわち、ステップ８１２で特定される遅延より長い）後までサーバに更新された温度を送らない。この例のバリエーションとして、繰返しの反転および／または相反する変更が所定時間内で何回行なわれるかに依存して連続的により長い遅延時間が含まれる。たとえば、変更がなされて、その後１０秒以内に３回を超えて取消された場合、ステップ８１２の遅延期間は２０秒にまで増加される。
【００５３】
図９Ａ〜図９Ｇは、いくつかの実施形態に係る、ネットワーク接続されたプログラム可能なサーモスタットを遠隔制御するためのタッチスクリーンデバイス上のグラフィカルユーザインターフェイスの局面を示す。図９Ａでは、ユーザは、ユーザの指６０２により目盛りの円６７０上の位置９００において長押しする。目盛りの円６７０上での「長押し」ジェスチャに応じて、カレット６８０は、矢印９１０に示されるように位置９００に向かって移動し始める。図９Ｂは、短時間後のユーザインターフェイスディスプレイを示す。ユーザはまだ位置９００で指６０２を保持している。カレット６８０は、矢印９１２によって示されるように、目盛りの円６７０に沿って位置９００に向かって移動し続ける。図９Ｃは、ユーザが指６０２を保持していた位置９００にカレット６８０が到達したときの、短時間後のディスプレイ６３６を示す。図９Ａ〜図９Ｆに示される動作モードは、「指までおいで」と称され得る。なぜなら、カレット６８０は、ユーザの指が保持されている目盛りの円６７０上の位置まで来るためである。なお、中央の大きな数値６７４は、「指までおいで」モード中に、ユーザの対話に応じてどのような設定変更が行なわれているかに関するさらなる表示をユーザに設けるために変更されている。
【００５４】
ユーザが設定点温度などの設定の大規模な変更を単純にかつ直感的に行なうことのできるユーザインターフェイスを提供する際に、ユーザが不意に「意図しない」変更を不用意に行なってしまうリスクを低減することが望ましいことがわかっている。大規模な変更を迅速に行なうことを可能にしつつこのようなリスクを低減する方法の１つは、初めに低速で変更を開始し、その後変更の速度を徐々に上げる（すなわち、設定点温度の変更の速度を加速させる）ことである。図９Ｄは、いくつかの実施形態に従って、図９Ａ〜図９Ｃおよび図９Ｅ〜図９Ｇに示される「指までおいで」タイプの設定変更などの大規模な設定変更についての設定点温度の変更の速度を加速させるための２つの異なるスキームを示すグラフである。特に、曲線９２０および９２２の両方は、期間９２４中に示されるように比較的遅い変更速度で開始している。たとえば、初めの数秒の変更速度は、１秒あたり約華氏１〜２度であるが、期間９２６中の変更速度は、１秒あたり華氏４〜６度であり得る。初めに遅い変化速度を設け、その後により速い変化速度を設けることによって、大規模な変更を迅速に行なう能力を設けつつ意図しない大規模な変更のリスクを大きく低減することができる。いくつかの実施形態によれば、設定点温度が変化している際に可聴なクリックまたはチクタク音が鳴らされる。たとえば、「クリック」音は、華氏０．５または１度の変更ごとに関連付けられ得る。加速と組合されると、クリックまたはチクタク音の増加する速度は、ユーザに追加の表示を設けて、ユーザエクスペリエンスをさらに向上させる。図９Ｅ、図９Ｆおよび図９Ｇは、ユーザが設定点温度を華氏６７度から華氏８１度に単純にかつ迅速に上昇させる、長押しジェスチャを介した「指までおいで」調整の例示的なシーケンスを示す。
【００５５】
図１０Ａ〜図１０Ｄは、いくつかの実施形態に係る、ネットワーク接続されたプログラム可能なサーモスタットを遠隔制御するためのタッチスクリーンデバイス上のグラフィカルユーザインターフェイスの局面を示す。図１０Ａは、暖房設定点温度が華氏８１度に設定されたディスプレイエリア６３６の初期状態を示す。この場合、ユーザは、指６０２を、目盛りの円６７０の上または目盛りの円６７０に沿ってではなく、ディスプレイエリア６３６の中央部分を通ってドラッグする。図１０Ｂでは、ユーザは、（たとえば図７Ａ〜図７Ｃに示されるように）指６０２を目盛りの円６７０に沿ってドラッグする代わりに、カレット記号６８０をタッチすることによって開始し、矢印１０１０によって示されるように、ユーザは指６０２をディスプレイエリア６３６の中央エリアに向かってドラッグする。図１０Ｃにおいて、ユーザの指６０２は、位置１００２においてディスプレイエリアをタッチしている。ユーザの指が位置１０００においてなど目盛りの円６７０に近いときには、ユーザインターフェイスは、該ジェスチャを図７Ａ〜図７Ｃに示されるような単純な「タッチおよびドラッグ」ジェスチャとして判断する。しかしながら、位置１００２など、どこかの地点では指６０２の位置が目盛りの円から非常に遠いため、ユーザインターフェイスは該ジェスチャを新たな位置として判断し、図９Ａ〜図９Ｃおよび図９Ｅ〜図９Ｆに示されるような「指までおいで」調整モードを実施することによって応答する。図１０Ｄでは、ユーザの指６０２は、位置１００４に配置されるまで、矢印１０１２によって示されるように、ディスプレイエリア６３６の中央エリアにわたってドラッグし続ける。この場合、「指までおいで」調整モードが実施されるべきことが明らかであり、ユーザインターフェイスは、矢印１０１４によって示されるように設定点カレット記号６８０を位置１００４に向かって動かすことによって応答する。このように、ユーザインターフェイスによって「ハイブリッドの」ジェスチャを判断することが可能である。ユーザは、カレット記号６８０を目盛りの円６７０に沿ってドラッグすることによって開始し得るが、その後どこかの地点で、ユーザは新たな位置へと円をわたって「近道」を取るよう決断し、この地点でユーザインターフェイスは「指までおいで」調整モードに変化する。
【００５６】
図１１Ａ〜図１１Ｆは、いくつかの実施形態に係る、ネットワーク接続されたプログラム可能なサーモスタットを遠隔制御するためのタッチスクリーンデバイス上のグラフィカルユーザインターフェイスの局面を示す。この場合、ユーザは、設定点温度を小規模に調整するために、指６０２をディスプレイエリア６３６の中央部分で繰返しタッピングする。図１１Ａは、暖房設定点温度が華氏８１度に設定されたディスプレイエリア６３６の初期状態を示す。図１１Ｂでは、ユーザは、ディスプレイエリア６３６の中央エリアの下半分１１００内であって、かつ目盛りの円６７０内の位置においてタッピングする。１回のタッピングに応じて、ユーザインターフェイスは、中央の数値６７４において表示される設定点を華氏１度低くなるように変更し、カレット６８０は、華氏１度低い設定点に対応する位置に動かされる。図１１Ｃおよび図１１Ｄは、中央エリアの下半分で繰返しその後にタッピングした後のユーザインターフェイスの応答を示し、各回ごとに、設定点温度は華氏１度低下されている。図１１Ｅおよび図１１Ｆは、ディスプレイエリア６３６の中央エリアの上半分１１０２におけるタッピングに対するユーザインターフェイスの応答を示す。上部エリア１１０２における各タッピングにより、設定点温度は華氏１度上昇されている。
【００５７】
図１２Ａ〜図１２Ｅは、いくつかの実施形態に係る、ネットワーク接続されたプログラム可能なサーモスタットを遠隔制御するためのタッチスクリーンデバイス上のグラフィカルユーザインターフェイスの局面を示す。この場合、ユーザは、設定点温度を大規模に調整するために、ディスプレイエリア６３６の中央部分において指６０２による長押しジェスチャを使用する。図１２Ａでは、ユーザは、ディスプレイエリア６３６の中央エリアの下半分１１００内であって、かつ目盛りの円６７０内の位置において「長押し」ジェスチャを使用する。長押しジェスチャに応じて、ユーザインターフェイスは、中央の数値６７４において表示される設定点がより低くなるように変更し、カレット６８０は、より低い温度に向かって動かされる。図１２Ｂ、図１２Ｃ、図１２Ｄおよび図１２Ｅは、ユーザの指６０２が中央エリアの下半分の下部エリア１１００において保持される際に連続的により低くなる設定点温度のシーケンスである。設定点は、ユーザがエリア１１００から指６０２を持上げるまで低下される。いくつかの実施形態によれば、設定点温度の不用意なかつ不意の大規模変更のリスクを低減するために、図９Ｄについて示され、説明されるように、長押しジェスチャに応じた大規模な変更は、初めは遅い変更速度で開始し、その後より速い変更速度に加速する。設定点温度はまた、図１１Ｅに示されるエリア１１０２などの上部エリアにおいて長押しジェスチャを使用して上昇させることもできる。
【００５８】
図１３Ａ〜図１３Ｄは、いくつかの実施形態に係る、ネットワーク接続されたプログラム可能なサーモスタットを遠隔制御するためのタッチスクリーンデバイス上のグラフィカルユーザインターフェイスの局面を示す。この場合、ユーザは、設定点温度に小規模な調整を行なうために、ディスプレイエリア６３６上の設定点カレット６８０の一方側または他方側の目盛りの円６７０上で指６０２を繰返しタッピングする。図１３Ａは、暖房設定点温度が華氏８１度に設定されたディスプレイエリア６３６の初期状態を示す。図１３Ｂでは、ユーザは、設定点カレット記号６８０に隣接し、左側の（すなわち、カレット記号６８０の位置によって表されるよりも低い温度を示す側）目盛りの円６７０の位置１３００においてタッピングする。１回のタッピングに応じて、ユーザインターフェイスは、中央の数値６７４において表示される設定点を華氏１度低くなるように変更し、カレット６８０は、華氏１度低い設定点に対応する位置に動かされる。図１３Ｃは、設定点カレット記号６８０の左側の目盛りの円６７０の位置１３０２上でのタッピング後のユーザインターフェイス応答を示す。なお、この種の調整を行なうためのアクティブなエリアは、現在の設定点カレット記号６８０の位置に相対的であるため、エリア１３０２はエリア１３００から若干シフトしている。図１３Ｄは、設定点カレット記号６８０の右側（すなわち、より高い温度を示す側）の目盛りの円６７０の位置１３０４でのタッピング後のユーザインターフェイス応答を示す。設定点カレット記号の右（高温）側の領域内での各タッピングにより、設定点温度は華氏１度上昇する。
【００５９】
なお、本明細書に記載されるジェスチャの組合せが想定され、ユーザが遠隔タッチスクリーンデバイスを使用して設定点変更を行なうための直感的手段を可能にする。たとえば、多くの場合、ユーザはまず、図９Ａ〜図９Ｃおよび図９Ｅ〜図９Ｇに示される「指までおいで」モードまたは図１２Ａ〜図１２Ｅに示される「長押し」ジェスチャなどの大規模な変更を行ない、その後、図７Ａ〜図７Ｃに示される「タッチおよびドラッグ」ジェスチャ、ならびに／または、図１１Ａ〜図１１Ｆおよび／もしくは図１３Ａ〜図１３Ｄに示されるような「タッピング」ジェスチャなどの「微調整」または小規模な調整を行ない得る。多くの場合、あるモードから次のモードへの「移行」は、ユーザにとって非常に自然なかつ直感的な形で行なわれる。たとえば、ユーザが、図９Ａ〜図９Ｃおよび図９Ｅ〜図９Ｇに示されるような「指までおいで」モードを用いて大規模な変更を行なうために「長押し」ジェスチャから始めて、その後、図７Ａ〜図７Ｃに示されるような微調整のための「タッチおよびドラッグ」ジェスチャを行なう場合、ユーザは、指を持上げて、その後タッチスクリーンに「再タッチ」する必要がない。むしろ、いくつかの実施形態によれば、カレットがユーザの指の位置に追いついたとき、ユーザインターフェイスは自動的に「モード」を切換える。特に、図９Ｃまたは図９Ｇの開始点から、カレット６８０がユーザの指６０２に「追いつく」とき、ユーザの指６０２は示される位置にある。この地点で、ユーザが目盛りの円６７０に沿って時計回りまたは反時計回りに指６０２を（「再タッチ」せずに）単純にドラッグさせると、ユーザインターフェイスは、図７Ａ〜図７Ｃに示される「タッチおよびドラッグ」モードへとシームレスに入る。別の例では、ユーザインターフェイスは、微調整モード（たとえば、図７Ａ〜図７Ｃに示される「タッチおよびドラッグ」ジェスチャ）から大規模調整モード（たとえば、図９Ａ〜図９Ｃおよび図９Ｅ〜図９Ｇに示される「指までおいで」モード）へと自動的に切換る。この例では、ユーザは、指６０２を（図７Ａ〜図７Ｃに示されるように）時計回りまたは反時計回り方向のいずれかに目盛りの円６７０に沿ってドラッグし、カレット６８０は指６０２の位置を追う。その後、どこかの地点で、ユーザは、指６０２の動きを最大の所定調整速度（たとえば、１秒あたり華氏３〜６度）を超えて加速させる。いくつかの実施形態によれば、ユーザインターフェイスは、指６０２による「再タッチ」の必要なしに「指までおいで」モードへと自動的に切換る。ユーザがしきい値速度を超えて指を加速させると、カレットはユーザの指よりも「遅れ」始めて、ユーザインターフェイスは、図９Ａ〜図９Ｃおよび図９Ｅ〜図９Ｇに示されるような「指までおいで」モードで動作する。なお、ユーザは、モードを切換えるために指６０２を持上げて再タッチする必要はなく、切換は自動的に起きる。このように、２つの調整モード間の移行は、ユーザエクスペリエンスをさらに向上させるように、直感的かつ自然な形で自動的に行なわれる。
【００６０】
図１４Ａ〜図１４Ｂは、いくつかの他の実施形態に係る、ネットワーク接続されたプログラム可能なサーモスタットを遠隔制御するためのタッチスクリーンデバイス上のグラフィカルユーザインターフェイスの局面を示す。この場合、ユーザは、図１４Ａに示されるように矢印１４１０および１４１２によって示されるように、２本の指１４０２および１４０４を同時にねじる動作でディスプレイエリア６３６上のタッチおよびドラッグジェスチャを行なう。図１４Ｂは、ユーザにリアルタイムで表示される結果表示を示す。なお、中央の数値６７４および設定点カレット記号６８０は、ユーザに２本の指をねじるジェスチャに応答する即座のフィードバックを与えるように変更される。この種のジェスチャは、ユーザによって用いられるジェスチャが物理的なダイヤルを回転させるのに用いられ得るジェスチャを模倣しているため、「物理的」エミュレーションモードと称され得る。なお、先に記載された実施形態のように、ユーザインターフェイスのフィードバックおよび知覚される応答性をさらに向上させるために、可聴なチクタク音またはクリック音をユーザに対して鳴らすこともできる。
【００６１】
図１５Ａ〜図１５Ｃは、いくつかの他の実施形態に係る、ネットワークに接続されたプログラム可能なサーモスタットを遠隔制御するためのタッチスクリーンデバイス上のグラフィカルユーザインターフェイスの局面を示す。ユーザは、図７Ａ〜図７Ｃに示されるのと同様の形態で、指６０２により目盛りの円６７０に沿ってタッチおよびドラッグジェスチャを行なう。しかし、この場合、ユーザの指６０２は設定点カレット記号６８０の上に直接あるのではなく、目盛りの円６７０のどこか他の位置上にある。図１４Ａ〜図１４Ｂに示されるジェスチャ調整モードと同様に、図１５Ａ〜図１５Ｃに示されるモードは、該ジェスチャが物理的なダイヤルを回転させるのに用いられ得るジェスチャを模倣しているため、物理的なエミュレーションモードと称され得る。図１５Ｂに示されるように、矢印１５１２によって示される方向のユーザのタッチおよびドラッグジェスチャに応じて、設定点温度がリアルタイムで設定点カレット記号６８０および中央の数値６７４によって示されるように調整される。同様に、図１５Ｃでは、矢印１５１８によって示される方向のユーザのタッチおよびドラッグジェスチャに応じて、設定点温度が、設定点カレット記号６８０および中央の数値６７４によって示されるようにリアルタイムで調整される。なお、先に記載された実施形態のように、ユーザインターフェイスのフィードバックおよび知覚される応答性をさらに向上させるために、ユーザが可聴なチクタク音またはクリック音が鳴らすこともできる。
【００６２】
図１６Ａ〜図１６Ｃは、いくつかの他の実施形態に係る、ネットワーク接続されたプログラム可能なサーモスタットを遠隔制御するためのタッチスクリーンデバイス上のグラフィカルユーザインターフェイスの局面を示す。この場合、ユーザの指６０２による（矢印１６１０によって示されるような）垂直方向へのユーザのタッチおよびドラッグジェスチャに応じて、部分的に透明な垂直調整バー１６２０がディスプレイエリア６３６に重なって表示される。ユーザの指および調整バー１６２０が中央の数値６７４のユーザの視界を部分的に妨げるため、ユーザがユーザの指の位置に現在関連付けられる温度を容易に見ることができるように小さな数値サイドディスク１６２４が表示される。図１６Ｂでは、矢印１６１２によって示される下方向のユーザのタッチおよびドラッグジェスチャに応じて、設定点温度が、設定点カレット記号６８０、中央の数値６７４および小さいディスク１６２４の位置によって示されるように下げられる。同様に、図１６Ｃでは、矢印１６１４によって示される上方向のユーザのタッチおよびドラッグジェスチャに応じて、設定点温度が、設定点カレット記号６８０、中央の数値６７４および小さいディスク１６２４の位置によって示されるように上げられる。なお、いくつかの実施形態によれば、ユーザのジェスチャに現在関連付けられる温度を数値により表示する小さいディスクに本明細書に記載される他の調整モードのいずれかを設けることもできる。いくつかの実施形態によれば、垂直調整バーと同様に、または垂直調整バーの代わりに、水平方向のタッチおよびドラッグジェスチャに応じて水平調整バーが表示され得る。なお、先に記載された実施形態のように、ユーザインターフェイスのフィードバックおよび知覚される応答性をさらに向上させるために、ユーザが可聴なチクタク音またはクリック音を鳴らすこともできる。
【００６３】
図１７Ａ〜図１７Ｃは、いくつかの他の実施形態に係る、範囲モードで動作する、ネットワークに接続されたプログラム可能なサーモスタットを遠隔制御するためのタッチスクリーンデバイス上のグラフィカルユーザインターフェイスの局面を示す。本明細書において、「範囲モード」という用語は、包囲空間を好ましい温度範囲内に維持するために暖房と冷房とを自動的に切換えるモードを指す。範囲モードは、たとえば、同じ日に暖房および冷房から利益を得る気候下で有用となり得る。範囲モードの動作においては、より低い暖房設定点およびより高い冷房設定点の２つの同時の温度設定点が存在する。図１７Ａ〜図１７Ｃでは、暖房設定点が、数値１７０２および暖房設定点カレット記号１７２２としてユーザに表示されており、冷房設定点が数値１７０４および冷房設定点カレット記号１７２４を用いて表示されている。ユーザは、図７Ａ〜図７Ｃに示されるのと類似の単純なタッチおよびドラッグジェスチャを用いていずれかの設定点を調整することができる。たとえば、図１７Ａおよび図１７Ｂにおいて、ユーザは、冷却設定点カレット記号１７２４をタッチし、矢印１７１０によって示されるように右側にドラッグする。これに応じて、ユーザインターフェイスは、カレット１７２４の移動および対応する数値１７０４をリアルタイムで表示する。いくつかの実施形態によれば、過度にエネルギーを浪費する条件ならびに、暖房および冷房の両方を同時に要求する望ましくない場合を回避するために、暖房設定点と冷房設定点との最小限の差が実施される。図１７Ａ〜図１７Ｃに示される場合では、華氏５度の最小限の差が実施される。したがって、図１７Ｃに示されるように、ユーザが設定点を最小限の差未満となり得る別の設定点に向けて動かそうとすると、別の設定点も最小限の差が実施されるように動かされる。この場合、ユーザが冷却設定点を下方に動かすと、華氏５度の最小限差異を維持するように暖房設定点もまた下げられる。いくつかの実施形態によれば、範囲モードで動作するサーモスタットを調整するために、本明細書に記載される他の調整方法も使用され得る。たとえば、「長押し」ジェスチャの位置に最も近い設定点カレットに大規模な変更を行なうために、図９Ａ〜図９Ｃおよび図９Ｅ〜図９Ｆに示される「指までおいで」調整モードが実行され得る。別の例では、中央のディスプレイエリアを半分でなく４分の１に分割することによって、範囲モードのための図１１Ａ〜図１１Ｆのタップジェスチャが実行され得る。
【００６４】
いくつかの実施形態によれば、本明細書に記載される技術は、非円形のサーモスタットディスプレイに適用される。特に、遠隔タッチスクリーンデバイス上で、サーモスタットおよび／またはサーモスタットディスプレイのグラフィック図をサーモスタットおよび／またはサーモスタットディスプレイを模倣するまたは非常に近似する態様で表示することが有用であることがわかっている。図１８Ａは、いくつかの実施形態に係るユーザフレンドリーな非円形のサーモスタット１８００の斜視図を示し、これはフレーム１８０２および表示／制御ストリップ１８０４を含む。外側に突出するガラス製のタッチスクリーンカバー後方にＬＥＤスクリーンを含み得る表示／制御ストリップ１８０４は、スティックガムに似て、比較的長く、かつ比較的狭い。いくつかの実施形態によれば、表示／制御ストリップ１８０４は、（ｉ）目的および効果において、上記の図５Ａのサーモスタット１０２の回転リング５１２の時計回りおよび反時計回り回転と同様のアナログユーザ入力を設けるために、ユーザによる上方および下方の指スワイプに応答性があり、かつ、（ｉｉ）上記の図５Ａのサーモスタット１０２の回転リング５１２によって設けられるのと類似の内側クリック入力性能を提供するように、表示／制御ストリップ１８０４に沿った１つ以上の位置において内側に押下可能となるように構成されている。視覚的表示／制御ストリップ１８０４のさまざまな他の局面は、全表示背景が冷却周期については青色に変わり、暖房周期については橙色に変わるなど、サーモスタット１０２について上に説明したものと同様であり得る。表示／制御ストリップ１８０４上に表示されているのは、現在の設定点温度測定値１８０６である。図１８Ｂ〜図１８Ｃは、いくつかの実施形態に係る、非円形サーモスタットを遠隔制御するためのタッチスクリーンデバイス上のグラフィカルユーザインターフェイスの局面を示す。ディスプレイ６１０を有するスマートフォン６００は、表示ストリップ１８０４と同じアスペクト比、色、フォントなどを使用しているという点で図１８Ａのサーモスタット１８００の表示ストリップ１８０４を模倣した矩形の表示エリア１８１０を表示するように示されている。いくつかの実施形態によれば、円形サーモスタットに関して本明細書に記載される調整技術の１つ以上が非円形サーモスタットの場合に適用され得る。たとえば、図１８Ｂおよび図１８Ｃは、現在の設定点温度を示す数値１８２０上でのユーザの指６０２によるタッチおよびドラッグジェスチャを示している。非円形サーモスタットに適用される本明細書に記載される調整技術の他の例としては、図９Ａ〜図９Ｃおよび図９Ｅ〜図９Ｆに示されるような「指までおいで」調整モード、図１１Ａ〜図１１Ｆおよび／または図１３Ａ〜図１３Ｄに示されるようなタップジェスチャ、図１２Ａ〜図１２Ｆに示されるような長押しジェスチャ、ならびに、図１５Ａ〜図１５Ｃに示されるタッチおよびドラッグジェスチャなどの「物理的エミュレーション」モードが含まれる。
【００６５】
ここまで説明してきた実施形態の多くは、単一のプログラム可能なネットワーク接続されたサーモスタットを制御するための遠隔タッチスクリーンデバイス上のユーザインターフェイスについてであるが、いくつかの実施形態によれば、記載されたユーザインターフェイス技術の他のバリエーションが実施可能である。たとえば、いくつかの実施形態によれば、本明細書に記載されるユーザインターフェイスは、複数の物理的サーモスタットを同時に制御するために使用される。別の例によれば、本明細書に記載されるユーザインターフェイス技術は、物理的に存在しない「仮想的な」サーモスタットを制御するために使用され、むしろ、ネットワーク接続を介してＨＶＡＣシステムがローカルにまたはクラウドサーバを介して制御される。
【００６６】
ここまで説明してきた実施形態の多くは、スマートフォンタッチスクリーンデバイスの文脈で示されてきたが、調整技術は、ゲームコンソール、オールインワンコンピュータ、個人用携帯情報端末（ＰＤＡ）およびタブレットコンピュータなど他のタイプのタッチスクリーンデバイスにも適用可能であることが認識されるであろう。図１９は、いくつかの実施形態に係る、タッチスクリーンデバイスを有するタブレットコンピュータ上で実施されるサーモスタットグラフィカルユーザインターフェイスの局面を示す。スマートフォンタッチスクリーンデバイスについて本明細書に記載された特徴の各々は、タブレットコンピュータなどの他のタッチスクリーンデバイス上でも実施可能である。示される例では、ｉＰａｄ（登録商標）１９００がＡｐｐｌｅ（登録商標）ｉＯＳオペレーティングシステムを実行しているが、他の実施形態によれば、タブレット１９００は、Ａｎｄｒｏｉｄ（登録商標）、Ｂｌａｃｋｂｅｒｒｙ（登録商標）またはＷｉｎｄｏｗｓ（登録商標）オペレーティングシステムなど異なるオペレーティングシステムを実行する異なるデバイスでもあり得る。タブレット１９００は、さまざまなタイプの情報が示され得て、さまざまなタイプのユーザ入力が受付けられ得るタッチセンシティブディスプレイ１９１０を有する。ディスプレイエリアは、タブレット１９００のオペレーティングシステムによって生成され、かつ該オペレーティングシステムに標準的なトップ情報バー１９２０を示している。メインウィンドウエリア１９３０は、サーモスタットが設定されている家の記号１９３２を割当てられた名称とともに示している。タブレット１９００などの遠隔デバイスのためのユーザインターフェイスのさらなる詳細については、本明細書に引用により援用される、本考案の譲受人に譲受された米国特許出願第１３／３１７，４２３号（参照番号ＮＥＳ０１５９−ＵＳ）を参照のこと。図９に示される例では、ユーザは、図７Ａ〜図７Ｃに記載される調整モードと類似のディスプレイエリア１９３６上での指６０２を用いたタッチおよびドラッグジェスチャを行なっている。
【００６７】
タッチスクリーン用のユーザインターフェイスに関する概念をサーモスタットについてこれまで説明してきたが、いくつかの実施形態によれば、これらの概念は、ＨＶＡＣの直接の環境を超えて、スマートホーム全体に、さらに、本考案が適用可能であり得る範囲内のネットワークベースのエコシステムに適用可能である。リングベースのコントローラの遠隔制御から利益を得るであろう図１に示されるようなスマートホーム設定における他の用途が想定される。特に、本明細書に記載される技術は、ユーザの応答性とネットワークトラフィックおよび制御される機器の保護への影響とのバランスを取ることにより利益が得られる他のシステムに特に適用可能である。例としては、不意な大きな変更が非常に望ましくないおよび／または無駄である電気的および／または電気機械的遠隔制御が含まれる。
【００６８】
本考案の精神および範囲から逸脱することなくさまざまな改良がなされ得る。上記および以下において使用されるサーモスタットという用語は、ＨＶＡＣシステムへの直接的な制御ワイヤを有するサーモスタットを含み得る。サーモスタットという用語はさらに、ＨＶＡＣシステムと直接接続されないが、包囲空間における１つの位置での周囲温度を感知し、包囲空間のどこかに配置される別個のサーモスタットユニットと有線または無線データ接続により協働して通信するサーモスタットを含み得て、別個のサーモスタットユニットは、ＨＶＡＣシステムへの直接的な制御ワイヤを有さない。したがって、本考案は上記の実施形態に限定されず、添付の請求項によって均等物の全範囲を考慮して規定される。
【図１】
0003204588.tif 000003
【図２】
0003204588.tif 000004
【図３】
0003204588.tif 000005
【図４】
0003204588.tif 000006
【図５Ａ】
0003204588.tif 000007
【図５Ｂ】
0003204588.tif 000008
【図５Ｃ】
0003204588.tif 000009
【図５Ｄ】
0003204588.tif 000010
【図６Ａ】
0003204588.tif 000011
【図６Ｃ】
0003204588.tif 000012
【図７Ａ】
0003204588.tif 000013
【図７Ｂ】
0003204588.tif 000014
【図７Ｃ】
0003204588.tif 000015
【図８】
0003204588.tif 000016
【図９Ａ】
0003204588.tif 000017
【図９Ｂ】
0003204588.tif 000018
【図９Ｃ】
0003204588.tif 000019
【図９Ｄ】
0003204588.tif 000020
【図９Ｅ】
0003204588.tif 000021
【図９Ｆ】
0003204588.tif 000022
【図９Ｇ】
0003204588.tif 000023
【図１０Ａ】
0003204588.tif 000024
【図１０Ｂ】
0003204588.tif 000025
【図１０Ｃ】
0003204588.tif 000026
【図１０Ｄ】
0003204588.tif 000027
【図１１Ａ】
0003204588.tif 000028
【図１１Ｂ】
0003204588.tif 000029
【図１１Ｃ】
0003204588.tif 000030
【図１１Ｄ】
0003204588.tif 000031
【図１１Ｅ】
0003204588.tif 000032
【図１１Ｆ】
0003204588.tif 000033
【図１２Ａ】
0003204588.tif 000034
【図１２Ｂ】
0003204588.tif 000035
【図１２Ｃ】
0003204588.tif 000036
【図１２Ｄ】
0003204588.tif 000037
【図１２Ｅ】
0003204588.tif 000038
【図１３Ａ】
0003204588.tif 000039
【図１３Ｂ】
0003204588.tif 000040
【図１３Ｃ】
0003204588.tif 000041
【図１３Ｄ】
0003204588.tif 000042
【図１４Ａ】
0003204588.tif 000043
【図１４Ｂ】
0003204588.tif 000044
【図１５Ａ】
0003204588.tif 000045
【図１５Ｂ】
0003204588.tif 000046
【図１５Ｃ】
0003204588.tif 000047
【図１７Ａ】
0003204588.tif 000048
【図１７Ｂ】
0003204588.tif 000049
【図１７Ｃ】
0003204588.tif 000050
【図１８Ａ】
0003204588.tif 000051
【図１８Ｂ】
0003204588.tif 000052
【図１８Ｃ】
0003204588.tif 000053
【図１９】
0003204588.tif 000054
【図６Ｂ】
0003204588.tif 000055
【図６Ｄ】
0003204588.tif 000056
【図７Ｄ】
0003204588.tif 000057
【図１６Ａ】
0003204588.tif 000058
【図１６Ｂ】
0003204588.tif 000059
【図１６Ｃ】
0003204588.tif 000060
【手続補正書】
【提出日】平成27年12月25日(2015.12.25)
【手続補正１】
【補正対象書類名】実用新案登録請求の範囲
【補正対象項目名】全文
【補正方法】変更
【補正の内容】
【実用新案登録請求の範囲】
【請求項１】
サーモスタットによって制御されるＨＶＡＣシステムのユーザと対話式にかつグラフィックスによりインターフェイスするための装置であって、前記装置は、
タッチスクリーンディスプレイと、
前記タッチスクリーンディスプレイと通信している１つ以上のプロセッサと、
前記１つ以上のプロセッサと通信接続され、かつ前記１つ以上のプロセッサによって読取可能なメモリとを備え、前記メモリは、プロセッサ読取可能な命令を格納しており、前記プロセッサ読取可能な命令は、前記１つ以上のプロセッサによって実行されると、前記１つ以上のプロセッサに、
前記サーモスタットと別個のかつ離れた位置におけるタッチスクリーンディスプレイを介して、円形領域および前記円形領域上に配置された１つ以上の制御記号をグラフィックスにより表示させ、前記１つ以上の制御記号は、前記サーモスタット上のリング型ユーザインターフェイスコンポーネントのユーザ操作をグラフィックスにより表わし、前記サーモスタットは、ハウジングと、前記リング型ユーザインターフェイスコンポーネントと、処理システムと、電子ディスプレイとを備え、前記プロセッサ読取可能な命令は、実行されると、前記１つ以上のプロセッサにさらに、
前記サーモスタット上の前記リング型ユーザインターフェイスコンポーネントのユーザ操作を表わすユーザによるタッチおよびドラッグジェスチャに応じて前記タッチスクリーンディスプレイを介してユーザ入力動作を検出させ、
検出された前記ユーザ入力動作に基づいて設定点温度値を動的に特定させ、
前記タッチスクリーンディスプレイを介して、前記タッチスクリーンディスプレイの前記円形領域上の特定された前記設定点温度値を表わす情報をリアルタイムで動的に表示させ、
特定された前記設定点温度値が前記ユーザによって要求される設定点温度に対応する可能性が比較的高くなるようにある時間の量の間待機させ、
前記待機後、特定された前記設定点温度値を表わすデータを無線送信させる、装置。
【請求項２】
前記プロセッサ読取可能な命令は、実行されると、前記１つ以上のプロセッサにさらに、前記ユーザが要求設定点温度に達した可能性が比較的高くなるユーザ入力完了時間を判定させ、前記待機する前記ある時間の量は、少なくとも判定された前記ユーザ入力完了時間である、請求項１に記載の装置。
【請求項３】
前記プロセッサ読取可能な命令は、実行されると、前記１つ以上のプロセッサに、前記サーモスタット上に前記電子ディスプレイの類似物をグラフィックスにより表示させ、前記１つ以上の制御記号は、前記電子ディスプレイ上に表示された１つ以上の制御記号を模倣する、請求項１に記載の装置。
【請求項４】
前記データを前記サーモスタットに無線送信する前の前記１つ以上のプロセッサによって待機される前記ある時間の量は、所定量の時間である、請求項１に記載の装置。
【請求項５】
前記１つ以上のプロセッサによって待機される前記所定量の時間は、約１〜２秒である、請求項４に記載の装置。
【請求項６】
前記プロセッサ読取可能な命令は、実行されると、前記１つ以上のプロセッサにさらに、前記タッチスクリーンディスプレイを介して、前記円形領域の中央エリアに数値を同時にかつ動的に表示させ、前記数値は、現在動的に特定される設定点温度値に関連付られる設定点値を示す、請求項１に記載の装置。
【請求項７】
前記タッチおよびドラッグジェスチャは、２本以上の指でタッチし、前記２本以上の指を物理的制御ダイヤルの回転動作を模倣する回転動作しながらドラッグすることを含む、請求項１に記載の装置。
【請求項８】
前記プロセッサ読取可能な命令は、実行されると、前記１つ以上のプロセッサにさらに、前記タッチスクリーンディスプレイを介して、前記タッチスクリーンディスプレイの表示される前記円形領域上の位置において前記ユーザによって行なわれる長押しジェスチャを検出させ、前記設定点温度値を動的に特定するステップは、検出された前記長押しジェスチャに部分的に基づく、請求項１に記載の装置。
【請求項９】
前記プロセッサ読取可能な命令は、実行されると、前記１つ以上のプロセッサにさらに、
前記タッチスクリーンディスプレイを介して、前記温度マーカ制御記号が表示される前記円形領域上にアーチ型経路を表示させ、前記長押しジェスチャの位置は、表示された前記アーチ型経路上にあり、前記プロセッサ読取可能な命令は、実行されると、前記１つ以上のプロセッサにさらに、
前記温度マーカ制御記号を、前記円形領域上の前記アーチ型経路に沿って前記長押しジェスチャの前記位置に向かって、徐々に移動させる、請求項８に記載の装置。
【請求項１０】
前記徐々に移動させることは、前記１つ以上のプロセッサによって、前記アーチ型経路に沿った動作の速度が経時的に加速するように非線形に行なわれる、請求項９に記載の装置。
【請求項１１】
前記プロセッサ読取可能な命令は、実行されると、前記１つ以上のプロセッサにさらに、前記ユーザによって行なわれるタッピングジェスチャを前記タッチスクリーンディスプレイ上の第２の位置において検出させ、前記プロセッサ読取可能な命令は、実行されると、前記１つ以上のプロセッサに、検出された前記タッピングジェスチャに部分的に基づいて前記設定点温度値を動的に特定させる、請求項１に記載の装置。
【請求項１２】
前記無線送信させることは、前記データをクラウドベースのサーバシステムに無線送信させることを含む、請求項１に記載の装置。
【請求項１３】
サーモスタットによって制御されるＨＶＡＣシステムのユーザと対話式にかつグラフィックスによりインターフェイスするための装置であって、前記装置は、
タッチスクリーンディスプレイと、
前記タッチスクリーンディスプレイと通信している１つ以上のプロセッサと、
前記１つ以上のプロセッサと通信結合され、かつ前記１つ以上のプロセッサによって読取可能なメモリとを備え、前記メモリは、プロセッサ読取可能な命令を格納しており、前記プロセッサ読取可能な命令は、前記１つ以上のプロセッサによって実行されると、前記１つ以上のプロセッサに、
前記タッチスクリーンディスプレイに、円形領域、および前記円形領域の外周近傍のアーチ型経路、ならびに現在の設定点温度値に関連付られる位置において前記円形領域の前記アーチ型経路に沿って位置付けられた温度制御マーカ記号をグラフィックスにより表示させ、
前記装置は、前記サーモスタットと別個のかつ離れた位置にあり、
前記サーモスタットは、ハウジングと、リング型ユーザインターフェイスコンポーネントと、処理システムと、円形電子ディスプレイとを備え、前記円形電子ディスプレイは、前記リング型制御部材の回転に応じて前記電子ディスプレイの外周近傍のアーチ型経路に沿って移動する、前記円形電子ディスプレイ上に表示された温度マーカ記号を含み、前記プロセッサ読取可能な命令は、実行されると、前記１つ以上のプロセッサにさらに、
前記タッチスクリーンディスプレイを介して、前記円形領域上に表示された前記アーチ型経路上の位置におけるユーザによる長押しジェスチャに応じて、前記タッチスクリーンディスプレイ上のユーザ入力ジェスチャを検出させ、
前記温度制御マーカ記号を、前記円形領域上の前記アーチ型経路に沿って前記長押しジェスチャの位置に向かって、徐々に移動させ、
検出された前記ユーザ入力ジェスチャに基づいて設定点温度値を動的に特定させ、
特定された前記設定点温度値を表わすデータを無線送信させる、装置。
【請求項１４】
実行されると、前記１つ以上のプロセッサに、前記徐々に移動させることを行わせる前記プロセッサ読取可能な命令は、実行されると、前記１つ以上のプロセッサに、前記徐々の移動を前記アーチ型経路に沿った動作の速度が経時的に加速するように非線形に行なわせるプロセッサ読取可能な命令を含む、請求項１３に記載の装置。
【請求項１５】
前記プロセッサ読取可能な命令は、実行されると、前記１つ以上のプロセッサにさらに、特定された前記設定点温度値が前記ユーザによって要求される設定点温度に対応する可能性が比較的高くなるようにある時間の量の間待機させ、前記無線送信させることは、前記待機後に行なわれる、請求項１３に記載の装置。
【請求項１６】
前記プロセッサ読取可能な命令は、実行されると、前記１つ以上のプロセッサに、
前記ユーザが、表示された前記温度制御マーカ記号に対応する位置をタッチし、表示された前記アーチ型経路に沿った方向にドラッグする前記ユーザによるタッチおよびドラッグジェスチャに応じて、前記タッチスクリーンディスプレイ上で行われるユーザ入力動作ジェスチャを検出させ、
前記タッチスクリーンディスプレイ上で、検出された前記ユーザ入力動作ジェスチャに応じて前記温度制御マーカ記号を表示された前記アーチ型経路に沿ってリアルタイムで動的に移動させる、請求項１３に記載の装置。
【請求項１７】
前記プロセッサ読取可能な命令は、実行されると、前記１つ以上のプロセッサに、
前記ユーザが前記円形領域上の位置をタップする前記ユーザによるタッピングジェスチャに応じて前記タッチスクリーンディスプレイ上のユーザ入力タッピングジェスチャを検出させ、
前記タッチスクリーンディスプレイ上で、検出された前記ユーザ入力タッピングジェスチャに応じて前記温度制御マーカ記号を表示された前記アーチ型経路に沿ってリアルタイムで動的に移動させる、請求項１３に記載の装置。
【請求項１８】
前記ユーザタッピングの前記円形領域上の前記位置は、前記アーチ型経路によって少なくとも部分的に画定される中央領域内である、請求項１７に記載の装置。
【請求項１９】
前記ユーザタッピングの前記円形領域上の前記位置は、前記アーチ型経路上である、請求項１７に記載の装置。
【請求項２０】
前記プロセッサ読取可能な命令は、実行されると、前記１つ以上のプロセッサにさらに、前記アーチ型経路に沿った前記温度制御マーカ記号の位置に現在関連付られる設定点温度を示す数値を動的に表示させる、請求項１３に記載の装置。
【請求項２１】
前記プロセッサ読取可能な命令は、実行されると、前記１つ以上のプロセッサにさらに、前記アーチ型経路に沿った前記温度制御マーカ記号の移動に対応する可聴音を前記装置によって前記ユーザに出力させる、請求項１３に記載の装置。
【請求項２２】
ＨＶＡＣシステムのユーザと対話式にかつグラフィックスによりインターフェイスするためのシステムであって、前記システムは、
サーモスタットを備え、前記サーモスタットは、
ハウジングと、
リング型ユーザインターフェイスコンポーネントと、
測定された周囲空気温度と設定点温度値との比較に少なくとも部分的に基づいてＨＶＡＣシステムを制御するように構成された処理システムと、
前記処理システムの動作制御下の円形電子ディスプレイとを備え、前記システムはさらに、
前記サーモスタットと別個のかつ離れた位置から操作可能なタッチスクリーンディスプレイデバイスを備え、前記タッチスクリーンディスプレイデバイスは、タッチスクリーンディスプレイと、前記タッチスクリーンディスプレイに通信接続された処理システムとを含み、前記タッチスクリーンディスプレイデバイスの前記処理システムは、
円形領域および前記円形領域上に配置された１つ以上の制御記号をグラフィックスにより表示し、前記１つ以上の制御記号は、前記サーモスタット上の前記リング型ユーザインターフェイスコンポーネントのユーザ操作をグラフィックスにより表わし、
前記サーモスタット上の前記リング型ユーザインターフェイスコンポーネントのユーザ操作を表わすユーザによるタッチおよびドラッグジェスチャに応じて前記タッチスクリーンディスプレイ上のユーザ入力動作を検出し、
検出された前記ユーザ入力動作に基づいて設定点温度値を動的に特定し、
前記タッチスクリーンディスプレイ上に、前記ユーザによって要求される設定点温度に対応する特定された前記設定点温度値を表わす情報をリアルタイムで動的に表示し、
特定された前記設定点温度値が前記ユーザによって要求される設定点温度に対応する可能性が比較的高くなるようにある時間の量の間待機し、
前記待機後に、前記サーモスタットの前記設定点温度値を更新するように、特定された前記設定点温度値を表わすデータを無線送信するように、プログラムされ、構成されている、システム。
【請求項２３】
前記タッチスクリーンディスプレイデバイスは、スマートフォンである、請求項２２に記載のシステム。
【請求項２４】
前記タッチスクリーンディスプレイデバイスは、タブレットコンピュータである、請求項２２に記載のシステム。
【請求項２５】
クラウドベースのサーバシステムをさらに含み、前記クラウドベースのサーバシステムは、前記タッチスクリーンディスプレイデバイスから特定された前記設定点温度値を表わす無線送信された前記データを受信し、格納し、前記データを、前記ＨＶＡＣシステムを制御する際の使用のために前記サーモスタットに送信するように構成されている、請求項２２に記載のシステム。
【請求項２６】
前記サーモスタットの前記処理システムは、前記電子ディスプレイ上に、前記リング型制御部材の回転に応じて前記電子ディスプレイの外周近傍のアーチ型経路に沿って移動する温度マーカ記号を表示するように構成され、前記タッチスクリーンディスプレイの前記円形領域上に配置された前記１つ以上の制御記号は、前記サーモスタットの前記電子ディスプレイ上の前記温度マーカ記号を表わす温度マーカ制御記号を含み、前記ユーザによる前記タッチおよびドラッグジェスチャは、前記温度マーカ制御記号にタッチし、前記円形領域上のアーチ型経路上の新たな位置にドラッグすることを含む、請求項２２に記載のシステム。
【請求項２７】
前記タッチスクリーンデバイスの前記処理システムはさらに、
前記ユーザによって行なわれる長押しジェスチャを前記円形領域の表示された前記アーチ型経路上の位置において検出し、
前記温度マーカ制御記号を、前記円形領域上の前記アーチ型経路に沿って前記長押しジェスチャの前記位置に向かって、徐々に移動させるように構成されており、前記徐々の移動は、前記アーチ型経路に沿った動作の速度が経時的に加速するように非線形に行なわれる、請求項２６に記載のシステム。
【請求項２８】
前記タッチスクリーンデバイスの前記処理システムはさらに、前記ユーザによって行なわれるタッピングジェスチャを前記タッチスクリーンディスプレイ上の位置において検出するように構成され、動的に特定された前記設定点温度値は、検出された前記タッピングジェスチャに部分的に基づく、請求項２２に記載のシステム。
【請求項２９】
前記タッチスクリーンデバイスの前記処理システムはさらに、前記円形領域の中央エリアに数値を動的に表示するように構成され、前記数値は、現在の動的に特定された前記設定点温度値に関連付けられる設定点値を示す、請求項２２に記載のシステム。